(57)【要約】      （修正有）【課題】複数の空間ストリームを生成する、通信のためのシステムおよび／または方法を提供する。【解決手段】複数の空間ストリームの各々は、複数のシンボルを備える。トレーニングシーケンスの少なくとも一部は、複数の空間ストリームのうちの第１の空間ストリームにおける第１のシンボルと、複数の空間ストリームのうちの第２の空間ストリームにおける第２のシンボルとにわたって分散される。【選択図】図８
2014075805.tif 000002
【特許請求の範囲】
【請求項１】
各々が、複数のシンボルを備える複数の空間ストリームを生成し、
前記複数の空間ストリームのうちの第１の空間ストリームにおける第１のシンボルと、前記複数の空間ストリームのうちの第２の空間ストリームにおける第２のシンボルとにわたって、トレーニングシーケンスの少なくとも一部を分散する
ように構成された少なくとも１つのプロセッサと、
前記少なくとも１つのプロセッサに結合されたメモリと
を備える無線通信のための装置。
【請求項２】
前記少なくとも１つのプロセッサは、さらに、前記トレーニングシーケンスのさらなる部分を、前記複数の空間ストリームのうちの第３の空間ストリームにおける第３のシンボルに分散するように構成される、請求項１に記載の装置。
【請求項３】
前記第１および第２のシンボルの各々は、複数のサブキャリアを備え、前記処理システムは、さらに、前記トレーニングシーケンスの少なくとも一部を、前記第１および第２のシンボルにおける異なるサブキャリアにわたって分散するように構成される、請求項１に記載の装置。
【請求項４】
前記少なくとも１つのプロセッサは、さらに、前記第１のシンボルにおけるトレーニングシーケンスの一部を巡回的に遅延させるように構成される、請求項１に記載の装置。
【請求項５】
前記複数のシンボルのうちの第１のシンボルは、信号を搬送する複数のサブキャリアを含み、前記処理システムは、さらに、前記サブキャリアによって搬送される信号を、前記第１のシンボルにおけるトレーニングシーケンスの一部と乗じるように構成される、請求項１に記載の装置。
【請求項６】
前記第１のシンボルは、複数の帯域内および帯域外サブキャリアを含み、前記処理システムは、さらに、前記第１のシンボルにおけるトレーニングシーケンスの一部を、前記帯域内サブキャリアにわたって分散するように構成される、請求項１に記載の装置。
【請求項７】
前記少なくとも１つのプロセッサは、さらに、前記帯域外サブキャリアを減衰させるように構成される、請求項６に記載の装置。
【請求項８】
前記少なくとも１つのプロセッサは、さらに、前記トレーニングシーケンスのさらなる部分を、時間的に前記第１のシンボルの後に続く、前記複数の空間ストリームのうちの第１の空間ストリームにおける別のシンボルに分散するように構成される、請求項１に記載の装置。
【請求項９】
前記少なくとも１つのプロセッサは、さらに、前記トレーニングシーケンスの全てのトーンが前記複数の空間ストリームのうちの第１の空間ストリームに含まれるように、前記トレーニングシーケンスの残りの部分を、時間的に前記第１のシンボルに続く、前記複数の空間ストリームのうちの第１の空間ストリームにおける１または複数のシンボルに分散するように構成される、請求項１に記載の装置。
【請求項１０】
前記トレーニングシーケンスは、前記複数の空間ストリームのうちの第１の空間ストリームにおける８個のシンボルにわたって分散される、請求項９に記載の装置。
【請求項１１】
前記トレーニングシーケンスは、ウォルシュ符号化トレーニングシーケンスを備える、請求項９に記載の装置。
【請求項１２】
前記少なくとも１つのプロセッサは、さらに、前記第１のシンボルにおけるトレーニングシーケンスの一部を、時間的に前記第１のシンボルの後に続く、前記複数の空間ストリームのうちの第３の空間ストリームにおける別のシンボルに分散するように構成される、請求項１に記載の装置。
【請求項１３】
前記少なくとも１つのプロセッサは、さらに、前記複数のシンボルのうちの少なくとも１つのシンボルを、スプーフ変調スキームを用いて変調するように構成される、請求項１に記載の装置。
【請求項１４】
前記少なくとも１つのプロセッサは、さらに、
第１の変調スキームを用いて、前記複数の空間ストリームのうちの第１の空間ストリームにおける前記複数のシンボルのうちの１つのシンボルを変調し、
前記第１の変調スキームとは異なる第２の変調スキームを用いて、前記複数の空間ストリームのうちの第１の空間ストリームにおける前記複数のシンボルのうちの別のシンボルを変調する
ように構成される、請求項１に記載の装置。
【請求項１５】
前記複数の空間ストリームの各々は、データの長さと変調スキームとを示す情報を備える少なくとも１つのシンボルを備え、前記情報は、前記複数の空間ストリームのうちの少なくとも２つについて異なる、請求項１に記載の装置。
【請求項１６】
前記少なくとも１つのプロセッサは、さらに、
前記トレーニングシーケンスのさらなる部分を、時間的に前記第１のシンボルの後に続く、前記複数の空間ストリームのうちの第１の空間ストリームにおける第３のシンボルに分散し、
前記第１のシンボルにおけるトレーニングシーケンスの一部を、時間的に前記第３のシンボルの後に続く、前記複数の空間ストリームのうちの第１の空間ストリームにおける第４のシンボルに分散する
ように構成される、請求項１に記載の装置。
【請求項１７】
各々が、複数のシンボルを備える複数の空間ストリームを生成することと、
前記複数の空間ストリームのうちの第１の空間ストリームにおける第１のシンボルと、前記複数の空間ストリームのうちの第２の空間ストリームにおける第２のシンボルとにわたって、トレーニングシーケンスの少なくとも一部を分散することと
を備える通信のための方法。
【請求項１８】
前記トレーニングシーケンスのさらなる部分を、前記複数の空間ストリームのうちの第３の空間ストリームにおける第３のシンボルに分散することをさらに備える、請求項１７に記載の方法。
【請求項１９】
前記第１および第２のシンボルの各々は、複数のサブキャリアを備え、前記トレーニングシーケンスの少なくとも一部は、前記第１および第２のシンボルにおける異なるサブキャリアにわたって分散される、請求項１７に記載の方法。
【請求項２０】
前記第１のシンボルにおけるトレーニングシーケンスの一部を巡回的に遅延させることをさらに備える、請求項１７に記載の方法。
【請求項２１】
前記複数のシンボルのうちの第１のシンボルは、信号を搬送する複数のサブキャリアを含み、前記方法はさらに、前記サブキャリアによって搬送される信号を、前記第１のシンボルにおけるトレーニングシーケンスの一部と乗じることを備える、請求項１７に記載の方法。
【請求項２２】
前記第１のシンボルは、複数の帯域内および帯域外サブキャリアを含み、前記第１のシンボルにおけるトレーニングシーケンスの一部は、前記帯域内サブキャリアにわたって分散される、請求項１７に記載の方法。
【請求項２３】
前記帯域外サブキャリアを減衰させることをさらに備える、請求項２２に記載の方法。
【請求項２４】
前記トレーニングシーケンスのさらなる部分を、時間的に前記第１のシンボルの後に続く、前記複数の空間ストリームのうちの第１の空間ストリームにおける別のシンボルに分散することをさらに備える、請求項１７に記載の方法。
【請求項２５】
前記トレーニングシーケンスの全てのトーンが前記複数の空間ストリームのうちの第１の空間ストリームに含まれるように、前記トレーニングシーケンスの残りの部分を、時間的に前記第１のシンボルに続く、前記複数の空間ストリームのうちの第１の空間ストリームにおける１または複数のシンボルへと分散することをさらに備える、請求項１７に記載の方法。
【請求項２６】
前記トレーニングシーケンスは、前記複数の空間ストリームのうちの第１の空間ストリームにおける８個のシンボルにわたって分散される、請求項２５に記載の方法。
【請求項２７】
前記トレーニングシーケンスは、ウォルシュ符号化トレーニングシーケンスを備える、請求項２５に記載の方法。
【請求項２８】
前記第１のシンボルにおけるトレーニングシーケンスの一部を、時間的に前記第１のシンボルの後に続く、前記複数の空間ストリームのうちの第３の空間ストリームにおける別のシンボルに分散することをさらに備える、請求項１７に記載の方法。
【請求項２９】
前記複数のシンボルのうちの少なくとも１つのシンボルを、スプーフ変調スキームを用いて変調することをさらに備える、請求項１７に記載の方法。
【請求項３０】
第１の変調スキームを用いて、前記複数の空間ストリームのうちの第１の空間ストリームにおける前記複数のシンボルのうちの１つのシンボルを変調することと、前記第１の変調スキームとは異なる第２の変調スキームを用いて、前記複数の空間ストリームのうちの第１の空間ストリームにおける前記複数のシンボルのうちの別のシンボルを変調することをさらに備える、請求項１７に記載の方法。
【請求項３１】
前記複数の空間ストリームの各々は、データの長さと変調スキームとを示す情報を備える少なくとも１つのシンボルを備え、前記情報は、前記複数の空間ストリームのうちの少なくとも２つについて異なる、請求項１７に記載の方法。
【請求項３２】
前記トレーニングシーケンスのさらなる部分を、時間的に前記第１のシンボルの後に続く、前記複数の空間ストリームのうちの第１の空間ストリームにおける第３のシンボルに分散することと、前記第１のシンボルにおけるトレーニングシーケンスの一部を、時間的に前記第３のシンボルの後に続く、前記複数の空間ストリームのうちの第１の空間ストリームにおける第４のシンボルに分散することをさらに備える、請求項１７に記載の方法。
【請求項３３】
各々が、複数のシンボルを備える複数の空間ストリームを生成するための手段と、
前記複数の空間ストリームのうちの第１の空間ストリームにおける第１のシンボルと、前記複数の空間ストリームのうちの第２の空間ストリームにおける第２のシンボルとにわたって、トレーニングシーケンスの少なくとも一部を分散するための手段と
を備える通信のための装置。
【請求項３４】
機械可読媒体を備える、無線通信のためのコンピュータプログラムプロダクトであって、前記機械可読媒体は、
各々が、複数のシンボルを備える複数の空間ストリームを生成し、
前記複数の空間ストリームのうちの第１の空間ストリームにおける第１のシンボルと、前記複数の空間ストリームのうちの第２の空間ストリームにおける第２のシンボルとにわたって、トレーニングシーケンスの少なくとも一部を分散する
ために実行可能な命令群で符号化される、コンピュータプログラムプロダクト。
【請求項３５】
ピアノードのために、ネットワークへのバックホール接続をサポートするように構成された無線ネットワークアダプタと、
各々が複数のシンボルを備える複数の空間ストリームを生成するように構成された処理システムであって、前記処理システムは、前記複数の空間ストリームのうちの第１の空間ストリームにおける第１のシンボルと、前記複数の空間ストリームのうちの第２の空間ストリームにおける第２のシンボルとにわたって、トレーニングシーケンスの少なくとも一部を分散するようにさらに構成された処理システムと
を備えるアクセスポイント。
【請求項３６】
各々が複数のシンボルを備える複数の空間ストリームを受信するように構成された処理システムと、ここで、トレーニングシーケンスの少なくとも一部は、前記複数の空間ストリームのうちの第１の空間ストリームにおける第１のシンボルと、前記複数の空間ストリームのうちの第２の空間ストリームにおける第２のシンボルとにわたって分散され、
前記処理システムによってサポートされるユーザインターフェースと
を備えるアクセス端末。
【請求項３７】
シンボルのシーケンスを備えた、複数の局に送信されるべきプリアンブルを生成し
前記プリアンブルの第１の部分を、非ビームフォーミング形式で送信し、
前記プリアンブルの第２の部分を、ビームフォーミングを使用して送信する
ように構成された少なくとも１つのプロセッサと、
前記少なくとも１つのプロセッサに結合されたメモリと
を備える無線通信のための装置。
【請求項３８】
前記プリアンブルの第１の部分は、高スループット（ＨＴ）信号フィールドの第２のシンボルまで混合モードプリアンブルを備える、請求項３７に記載の装置。
【請求項３９】
前記プロセッサは、ステアされたマルチユーザ多重入力多重出力（ＭＵ−ＭＩＭＯ）データを前記プリアンブルの後に送信するようにさらに構成される、請求項３７に記載の装置。
【請求項４０】
前記プリアンブルの第２の部分は、前記複数の局のうちの少なくとも１つによって自動利得制御（ＡＧＣ）設定に使用されるショートトレーニングフィールドを備える、請求項３７に記載の装置。
【請求項４１】
前記プリアンブルの第２の部分は、時間的に前記第１のシンボルの後に続くトレーニングフィールドを備える第２のシンボルから構成される、請求項３７に記載の装置。
【請求項４２】
前記トレーニングフィールドは、前記トレーニングフィールドの後に続くシンボルを復調するために必要な前記チャネルを推定するために使用される、請求項４１に記載の装置。
【請求項４３】
前記トレーニングフィールドの後に続くシンボルは、信号フィールドを備える、請求項４１に記載の装置。
【請求項４４】
前記信号フィールドは、複数の局（ＳＴＡ）のうちの少なくとも２つについて異なる、請求項４３に記載の装置。
【請求項４５】
混合モードプリアンブルの高スループット（ＨＴ）部分に存在する前記信号フィールドにおける送信の長さおよびＭＣＳは、前記プリアンブルの後に続く、前記ステアされたＭＵ−ＭＩＭＯ送信の最長の持続時間を伝達するように選択される、請求項３９に記載の装置。
【請求項４６】
前記信号フィールドは、特定の変調スキームを使用してモード検出に使用される、請求項４３に記載の装置。
【請求項４７】
モード検出は、送信が、ＩＥＥＥ ８０２．１１に従うものか、ＩＥＥＥ ８０２．１１ａｃに従うものかを決定することを備える、請求項４６に記載の装置。
【請求項４８】
前記特定の変調スキームは、前記データに関するパイロットを反転させることを含む、請求項４６に記載の装置。
【請求項４９】
前記特定の変調スキームは、回転ＢＰＳＫ変調シンボルを含む、請求項４６に記載の装置。
【請求項５０】
前記シンボルは、ＱＰＳＫを使用して変調される単一のシンボルを備える、請求項４１に記載の装置。
【請求項５１】
シンボルのシーケンスを備えた、複数の局に送信されるべきプリアンブルを生成することと、
前記プリアンブルの第１の部分を、非ビームフォーミング形式で送信することと、
前記プリアンブルの第２の部分を、ビームフォーミングを使用して送信することと
を備える、無線通信のための方法装置。
【請求項５２】
前記プリアンブルの第１の部分は、高スループット（ＨＴ）信号フィールドの第２のシンボルまで混合モードプリアンブルを備える、請求項５１に記載の方法。
【請求項５３】
ステアされたマルチユーザ多重入力多重出力（ＭＵ−ＭＩＭＯ）データを前記プリアンブルの後に送信することをさらに備える、請求項５１に記載の方法。
【請求項５４】
前記プリアンブルの第２の部分は、前記複数の局のうちの少なくとも１つによって自動利得制御（ＡＧＣ）設定に使用されるショートトレーニングフィールドを備える、請求項５１に記載の方法。
【請求項５５】
前記プリアンブルの第２の部分は、時間的に前記第１のシンボルの後に続くトレーニングフィールドを備える第２のシンボルから構成される、請求項５１に記載の方法。
【請求項５６】
前記トレーニングフィールドは、前記トレーニングフィールドの後に続くシンボルを復調するために必要な前記チャネルを推定するために使用される、請求項５５に記載の方法。
【請求項５７】
前記トレーニングフィールドの後に続くシンボルは、信号フィールドを備える、請求項５５に記載の方法。
【請求項５８】
前記信号フィールドは、複数の局（ＳＴＡ）のうちの少なくとも２つについて異なる、請求項５７に記載の方法。
【請求項５９】
混合モードプリアンブルの高スループット（ＨＴ）部分に存在する信号フィールドにおける送信の長さおよびＭＣＳは、前記プリアンブルの後に続く、前記ステアされたＭＵ−ＭＩＭＯ送信の最長の持続時間を伝達するように選択される、請求項５３に記載の方法。
【請求項６０】
前記信号フィールドは、特定の変調スキームを使用してモード検出に使用される、請求項５７に記載の装置。
【請求項６１】
モード検出は、送信が、ＩＥＥＥ ８０２．１１に従うものか、ＩＥＥＥ ８０２．１１ａｃに従うものかを決定することを備える、請求項６０に記載の方法。
【請求項６２】
前記特定の変調スキームは、前記データに関するパイロットを反転させることを含む、請求項６０に記載の方法。
【請求項６３】
前記特定の変調スキームは、回転ＢＰＳＫ変調シンボルを含む、請求項６０に記載の方法。
【請求項６４】
前記シンボルは、ＱＰＳＫを使用して変調される単一のシンボルを備える、請求項５５に記載の方法。
【請求項６５】
シンボルのシーケンスを備えた、複数の局に送信されるべきプリアンブルを生成するための手段と、
前記プリアンブルの第１の部分を、非ビームフォーミング形式で送信するための手段と、
前記プリアンブルの第２の部分を、ビームフォーミングを使用して送信するための手段と、
を備える、通信のための装置。
【請求項６６】
機械可読媒体を備える、無線通信のためのコンピュータプログラムプロダクトであって、前記機械可読媒体は、
シンボルのシーケンスを備えた、複数の局に送信されるべきプリアンブルを生成し、
前記プリアンブルの第１の部分を、非ビームフォーミング形式で送信し、
前記プリアンブルの第２の部分を、ビームフォーミングを使用して送信する
ために実行可能な命令群で符号化される、コンピュータプログラムプロダクト。
【請求項６７】
ピアノードのために、ネットワークへのバックホール接続をサポートするように構成された無線ネットワークアダプタと、
シンボルのシーケンスを備えた、複数の局に送信されるべきプリアンブルを生成し、前記プリアンブルの第１の部分を、非ビームフォーミング形式で送信し、前記プリアンブルの第２の部分を、ビームフォーミングを使用して送信するように構成された処理システムと
を備えるアクセスポイント。
【請求項６８】
シンボルのシーケンスを備えた、複数のアクセス端末に送信されるプリアンブルを受信するように構成された処理システムと、ここにおいて、前記プリアンブルの第１の部分は、非ビームフォーミング形式で送信され、前記プリアンブルの第２の部分は、ビームフォーミングを使用して送信され、
前記処理システムによってサポートされるユーザインターフェースと
を備えるアクセス端末。
【発明の詳細な説明】
【優先権主張】
【０００１】
本出願は、全てが本出願の譲受人に譲渡され、参照により本明細書に組み込まれる、２００９年７月１０日に出願された「Preamble Extensions」と題する米国仮出願６１／２２４６４２号および２００９年１２月２８日に出願された「Preamble Extensions」と題する米国仮出願６１／２９０４１９号の利益を主張する。
【技術分野】
【０００２】
次の記述は一般的に通信システムに関し、さらに詳細には、プリアンブル拡張に関する。
【背景技術】
【０００３】
無線通信システムのために要求される帯域幅要件の増加という問題に対処するために、複数のユーザ端末が、チャネルリソースを共有することによって、高いデータスループットを達成すると同時に単一のアクセスポイントと通信することを可能にする異なるスキームが開発されている。多重入力多重出力（ＭＩＭＯ）テクノロジは、次世代型通信システム向きの一般的な技術として近年登場した１つのそのようなアプローチに相当する。ＭＩＭＯテクノロジは、ＩＥＥＥ（Institute of Electrical and Electronics Engineers）８０２.１１規格のようないくつかの新興無線通信規格で採用されている。ＩＥＥＥ ８０２．１１は、短距離通信（例えば、数十メートルから数百メートル）のためにＩＥＥＥ ８０２.１１の委員会によって開発された無線ローカルエリアネットワーク（ＷＬＡＮ）エアインターフェース規格のセットを示す。
【０００４】
新しい８０２.１１ ＶＨＴ（Very High Throughput）は、ＭＩＭＯモードで動作する新しい規格である。ＭＩＭＯテクノロジは、空間分割多元接続（ＳＤＭＡ）を使用していくつかの受信機と通信するために送信機によって使用されうる。ＳＤＭＡは、異なる受信機に同時に送信される複数のストリームが、同一の周波数スペクトルを共有できるようにする多元接続スキームである。いずれのストリーム内においても、データとプリアンブルの両方を含むデータパケットが存在する。新しいテクノロジを扱うために、効率的なプリアンブルを設計することが必要である。
【発明の概要】
【０００５】
本開示の１つの態様において、装置は、一般的に、各々が複数のシンボルを備える複数の空間ストリームを生成し、トレーニングシーケンスの少なくとも一部を、複数の空間ストリームのうちの第１の空間ストリームにおける第１のシンボルと、複数の空間ストリームのうちの第２の空間ストリームにおける第２のシンボルとにわたって分散（distribute）するように構成された少なくとも１つのプロセッサと、その少なくとも１つのプロセッサに結合されたメモリとを含む。
【０００６】
本開示の１つの態様において、通信のための方法は、各々が複数のシンボルを備える複数の空間ストリームを生成することを備える。その方法は、さらに、トレーニングシーケンスの少なくとも一部を、複数の空間ストリームのうちの第１の空間ストリームにおける第１のシンボルと、複数の空間ストリームのうちの第２の空間ストリームにおける第２のシンボルとにわたって分散することを備える。
【０００７】
本開示の１つの態様において、通信のための装置は、各々が複数のシンボルを備える複数の空間ストリームを生成するための手段を備える。その装置は、さらに、トレーニングシーケンスの少なくとも一部を、複数の空間ストリームのうちの第１の空間ストリームにおける第１のシンボルと、複数の空間ストリームのうちの第２の空間ストリームにおける第２のシンボルとにわたって分散するための手段を備える。
【０００８】
本開示の１つの態様において、無線通信のためのコンピュータプログラムプロダクトは、各々が複数のシンボルを備える複数の空間ストリームを生成するために実行可能な命令群で符号化された機械可読媒体を備える。その機械可読媒体は、さらに、トレーニングシーケンスの少なくとも一部を、複数の空間ストリームのうちの第１の空間ストリームにおける第１のシンボルと、複数の空間ストリームのうちの第２の空間ストリームにおける第２のシンボルとにわたって分散するために実行可能な命令群で符号化される。
【０００９】
本開示の１つの態様において、アクセス端末は、一般的に、各々が複数のシンボルを備える複数の空間ストリームを受信するように構成された処理システムであって、トレーニングシーケンスの少なくとも一部は、複数の空間ストリームのうちの第１の空間ストリームにおける第１のシンボルと、複数の空間ストリームのうちの第２の空間ストリームにおける第２のシンボルとにわたって分散される処理システムと、その処理システムによってサポートされるユーザインターフェースとを含む。
【００１０】
本開示の１つの態様において、無線通信のための装置は、一般的に、シンボルのシーケンスを備えた、複数の局に送信されるべきプリアンブルを生成し、プリアンブルの第１の部分を、非ビームフォーミング形式で送信し、プリアンブルの第２の部分を、ビームフォーミングを使用して送信するように構成された少なくとも１つのプロセッサと、その少なくとも１つのプロセッサに結合されたメモリとを含む。
【００１１】
本開示の１つの態様において、無線通信のための方法は、一般的に、シンボルのシーケンスを備えた、複数の局に送信されるべきプリアンブルを生成することと、プリアンブルの第１の部分を、非ビームフォーミング形式で送信することと、プリアンブルの第２の部分を、ビームフォーミングを使用して送信することとを含む。
【００１２】
本開示の１つの態様において、無線通信のための装置は、一般的に、シンボルのシーケンスを備えた、複数の局に送信されるべきプリアンブルを生成するための手段と、プリアンブルの第１の部分を、非ビームフォーミング形式で送信するための手段と、プリアンブルの第２の部分を、ビームフォーミングを使用して送信するための手段とを含む。
【００１３】
本開示の１つの態様において、無線通信のためのコンピュータプログラムプロダクトは、一般的に、シンボルのシーケンスを備えた、複数の局に送信されるべきプリアンブルを生成し、プリアンブルの第１の部分を、非ビームフォーミング形式で送信し、プリアンブルの第２の部分を、ビームフォーミングを使用して送信するために実行可能な命令群で符号化される機械可読媒体を含む。
【００１４】
本開示の１つの態様において、アクセスポイントは、一般的に、ピアノードのために、ネットワークへのバックホール接続をサポートするように構成された無線ネットワークアダプタと、シンボルのシーケンスを備えた、複数の局に送信されるべきプリアンブルを生成し、プリアンブルの第１の部分を、非ビームフォーミング形式で送信し、プリアンブルの第２の部分を、ビームフォーミングを使用して送信するように構成された処理システムとを含む。
【００１５】
本開示の１つの態様において、アクセス端末は、一般的に、シンボルのシーケンスを備えた、複数のアクセス端末に送信されるプリアンブルを受信するように構成された処理システムを含み、プリアンブルの第１の部分は、非ビームフォーミング形式で送信され、プリアンブルの第２の部分は、ビームフォーミングを使用して送信され、アクセス端末はさらに、処理システムによってサポートされるユーザインターフェースを含む。
【図面の簡単な説明】
【００１６】
本発明のこれらおよび別の例示的な態様は、次に続く、発明を実施するための形態、並びに、添付の図面で記述されるであろう。
【図１】図１は、無線通信ネットワークの図である。
【図２】図２は、無線ノードの例を示すブロック図である。
【図３】図３は、第３のＨＴ−ＳＩＧシンボルを有する例示的な混合モードプリアンブルを描写する図である。
【図４】図４は、第３のＨＴ−ＳＩＧシンボルを有する例示的なグリーンフィールドプリアンブルを描写する図である。
【図５】図５は、追加のＨＴ−ＬＴＦを有する例示的なプリアンブルを描写する図である。
【図６】図６は、例示的なＶＨＴ専用グリーンフィールド（VHT-only-Greenfield）プリアンブルを描写する図である。
【図７】図７は、追加のＨＴ−ＳＴＦを有する例示的な代替混合モードプリアンブルを描写する図である。
【図８】図８は、４個の空間ストリームに対する例示的な短縮チャネルトレーニングを描写する図である。
【図９】図９は、８個の空間ストリームに対する例示的なチャネルトレーニングを描写する図である。
【図１０】図１０は、８個の空間ストリームに対する例示的な代替チャネルトレーニングを描写する図である。
【図１１】図１１は、拡張ＨＴ−ＬＴＦを有する例示的なＶＨＴ専用グリーンフィールドプリアンブルを描写する図である。
【図１２】図１２は、１６個の空間ストリームに対する例示的なチャネルトレーニングを描写する図である。
【図１３】図１３は、異なるＳＴＦおよびＬＴＦを有する例示的なＶＨＴグリーンフィールドプリアンブルを描写する図である。
【図１４】図１４は、例示的なＶＨＴグリーンフィールドフレームフォーマットを描写する図である。
【図１５】図１５は、開ループＭＩＭＯについての例示的なＶＨＴグリーンフィールドフレームフォーマットを描写する図である。
【図１６】図１６は、例示的なＶＨＴ混合モードフレームフォーマットを描写する図である。
【図１７】図１７は、開ループＭＩＭＯについての例示的なＶＨＴ混合モードフレームフォーマットを描写する図である。
【図１８】図１８は、例示的なアップリンクフレームフォーマットを描写する図である。
【図１９】図１９は、例示的な代替ＶＨＴグリーンフィールドフレームフォーマットを描写する図である。
【図２０】図２０は、開ループＭＩＭＯについての例示的な代替ＶＨＴグリーンフィールドフレームフォーマットを描写する図である。
【図２１】図２１は、例示的な代替ＶＨＴ混合モードフレームフォーマットを描写する図である。
【図２２】図２２は、開ループＭＩＭＯについての例示的な代替ＶＨＴ混合モードフレームフォーマットを描写する図である。
【図２３】図２３は、例示的な代替アップリンクフレームフォーマットを描写する図である。
【図２４】図２４は、例示的な代替ＶＨＴグリーンフィールドフレームフォーマットを描写する図である。
【図２５】図２５は、例示的な代替ＶＨＴ混合モードフレームフォーマットを描写する図である。
【図２６】図２６は、ＭＭＳＥ−ＥＳを用いるＳＤＭＡについての例示的な代替ＶＨＴグリーンフィールドフレームフォーマットを描写する図である。
【図２７】図２７は、ＭＭＳＥを用いるＳＤＭＡについての例示的な代替ＶＨＴグリーンフィールドフレームフォーマットを描写する図である。
【図２８】図２８Ａと図２８Ｂとを組み合わせた図である。
【図２８Ａ】図２８ＡはＭＭＳＥ−ＥＳを用いるＳＤＭＡについての例示的な代替ＶＨＴ混合モードフレームフォーマットを描写する図であり、フレームフォーマットを示すために図２８Ｂの空間ストリームが図２８Ａの空間ストリームに続くように２ページにまたがる。
【図２８Ｂ】図２８ＢはＭＭＳＥ−ＥＳを用いるＳＤＭＡについての例示的な代替ＶＨＴ混合モードフレームフォーマットを描写する図であり、フレームフォーマットを示すために図２８Ｂの空間ストリームが図２８Ａの空間ストリームに続くように２ページにまたがる。
【図２９】図２９は、ＭＭＳＥを用いるＳＭＤＡについての例示的な代替ＶＨＴ混合モードフレームフォーマットを描写する図である。
【図３０】図３０は、８個の空間ストリームについての例示的なウォルシュ符号化チャネルトレーニングを描写する図である。
【図３１】図３１は、ＳＤＭＡについての例示的なウォルシュ符号化チャネルトレーニングを描写する図である。
【００１７】
一般的な実施にしたがって、図面のうちのいくつかは、明瞭さのために簡潔にされうる。このように、図面は、所与の装置（例えば、デバイス）または方法の全てのコンポーネントを描写しているわけでない。最後に、同様の参照番号は、明細書および図面全体を通して同様の特徴を表すために使用されうる。
【発明を実施するための形態】
【００１８】
本発明の様々な態様が、添付の図面に関して、以下により詳しく記述される。しかしながら、本発明は、多数の異なる形態で組み込まれることができ、本開示全体を通して示される任意の特定構造または機能に限定とされるとして解釈されるべきではない。むしろ、これらの態様は、本開示を完全および完璧にして、本開示の範囲を当業者に十分に伝達するために提供される。本明細書の教示に基づいて、本明細書に開示される発明の任意の態様が独立して実施されようと、本発明のあらゆる別の態様と組み合わされようと、それらを本発明の範囲がカバーするよう意図されていることを当業者は認識するであろう。例えば、本明細書に示された態様を、任意の数、使用して、装置が実装され、または、方法が実施されうる。加えて、本発明の範囲は、本明細書に示された発明の様々な態様に加えて、あるいは、それらを除き、別の構造、機能性、または構造と機能性を使用して実施されるそのような装置または方法をカバーすることを目的としている。本明細書に開示される発明の任意の態様が、特許請求の範囲の１または複数のエレメントによって組み込まれうることは理解されるべきである。
【００１９】
無線ネットワークのいくつかの態様が、図１に関してここに示されるであろう。全体として、ノード１１０および１２０として示されるいくつかの無線ノードを有する無線ネットワーク１００が示される。各無線ノードは、受信および／または送信することができる。次に続く発明を実施するための形態において、ダウンリンク通信の場合、「アクセスポイント」という用語は送信ノードを指すために使用され、「アクセス端末」という用語は、受信ノードを指すために使用され、一方で、アップリンク通信の場合、「アクセスポイント」という用語は、受信ノードを指すために使用され、「アクセス端末」という用語は、送信ノードを指すために使用される。しかしながら、当業者は、別の用語または名称が、アクセスポイントおよび／またはアクセス端末に対して使用されうることを容易に理解するであろう。例として、アクセスポイントは、基地局、トランシーバ基地局、局、端末、ノード、アクセスポイントとして機能するアクセス端末、または、いくつかの別の適切な用語で呼ばれうる。アクセス端末は、ユーザ端末、移動局、加入者局、局、無線デバイス、端末、ノード、または、いくつかの別の適切な用語で呼ばれうる。本開示全体を通して記述される様々なコンセプトは、全ての適切な無線ノードに対して、それらの特定の名称に関係なく適用されることを目的としている。
【００２０】
無線ネットワーク１００は、アクセス端末１２０にカバレッジを提供するために、地理的領域全体に分散される任意の数のアクセスポイントをサポートしうる。システムコントローラ１３０は、アクセスポイントの協調および制御を提供し、別のネットワーク（例えば、インターネット）へのアクセスをアクセス端末１２０に提供するために使用されうる。明瞭さのために、１つのアクセスポイント１１０が示される。アクセスポイントは、一般的に、カバレッジの地理的領域内のアクセス端末にバックホールサービスを提供する固定端末であるが、アクセスポイントは、いくつかのアプリケーションにおいて移動式でありうる。固定式または移動式でありうるアクセス端末は、アクセスポイントのバックホールサービスを利用するか、あるいは、別のアクセス端末とのピア・ツー・ピア通信に従事する。アクセス端末の例は、電話（例えば、セルラ電話）、ラップトップコンピュータ、デスクトップコンピュータ、携帯情報端末（ＰＤＡ）、デジタルオーディオプレーヤ（例えば、ＭＰ３プレーヤ）、カメラ、ゲームコンソール、または、あらゆる別の適切な無線ノードを含む。
【００２１】
無線ネットワーク１００は、ＭＩＭＯテクノロジをサポートしうる。ＭＭＯテクノロジを使用することによって、アクセスポイント１１０は、複数のアクセス端末１２０と、ＳＤＭＡを使用して同時に通信することができる。本開示の背景技術のセクションで説明されたように、ＳＤＭＡは、異なる受信機に同時に送信される複数のストリームが、同一の周波数チャネルを共有し、結果として、より高いユーザ容量を提供することを可能にする多元接続スキームである。これは、各データストリームを空間的にプリコーディングし、その空間的にプリコーディングされたストリームを、それぞれ、異なる送信アンテナを通してダウンリンク上で送信することによって達成される。空間的にプリコーディングされたデータストリームは、異なる空間シグネチャでアクセス端末に到達し、それは、各アクセス端末１２０が、そのアクセス端末１２０に向けられたデータストリームを復元することを可能にする。アップリンク上で、各アクセス端末１２０は、空間的にプリコーディングされたデータストリームを送信し、それは、アクセスポイント１１０が、空間的にプリコーディングされたデータストリームの各々のソースを識別することを可能にする。
【００２２】
１または複数のアクセス端末１２０は、ある機能性を可能にするために複数のアンテナを備えうる。この構成の場合、マルチアンテナアクセスポイントと通信するために、アクセスポイント１１０において複数のアンテナが使用され、追加の帯域幅または送信電力なしに、データスループットが高められうる。これは、送信機において、高データレート信号を、異なる空間シグネチャを用いて、複数の低レートデータストリームに分け、それにより、受信機が、これらのストリームを複数のチャネルに分け、そのストリームを適切に結合することによって高レートデータ信号を復元できるようになることによって達成されうる。
【００２３】
次に開示の一部は、ＭＩＭＯテクノロジもサポートするアクセス端末を記述するが、アクセスポイント１１０は、ＭＩＭＯテクノロジをサポートしないアクセス端末をサポートするようにも構成されうる。このアプローチによって、より新しいＭＩＭＯアクセス端末が適宜導入されることを可能にすると同時に、旧式のアクセス端末（すなわち、「レガシ」端末）が、無線ネットワークにおいて展開され続け、その有効寿命を拡張することができる。
【００２４】
次に続く、発明が実施される形態において、本発明の様々な態様が、直交周波数分割多重（ＯＦＤＭ）のような任意の適切な無線テクノロジをサポートするＭＩＭＯシステムに関して記述されるであろう。ＯＦＤＭは、正確な周波数で離間された多数のサブキャリアにわたってデータを分散する拡散スペクトル技術である。離間することは、受信機が、データをサブキャリアから復元することを可能にする「直交性」を提供する。ＯＦＤＭシステムは、ＩＥＥＥ ８０２．１１、または、ある別のエアインターフェース規格を実現しうる。
【００２５】
別の適切な無線テクノロジは、例として、符号分割多元接続（ＣＤＭＡ）、時分割多元接続（ＴＤＭＡ）、または、その他の適切な無線テクノロジ、あるいは、適切な無線テクノロジのあらゆる組み合わせを含む。ＣＤＭＡシステムは、ＩＳ−２０００、ＩＳ−９５、ＩＳ−８５６、広域ＣＤＭＡ（ＷＣＤＭＡ（登録商標））、または、ある別の適切なエアインターフェース規格で実現されうる。ＴＤＭＡシステムは、ＧＳＭ（登録商標）、または、ある別の適切なエアインターフェース規格を実現しうる。当業者が容易に認識するように、本発明の様々な態様は、あらゆる特定の無線テクノロジ、および／または、エアインターフェース規格に限定されない。
【００２６】
図２は、無線ノードの例を示す概念ブロック図である。送信モードにおいて、ＴＸデータプロセッサ２０２は、データソース２０１からデータを受信し、そのデータを符号化（例えば、ターボ符号化）して、受信側ノードでの前方誤り訂正（ＦＥＣ）を容易にするために使用されうる。符号化プロセスは、変調シンボルのシーケンスを生成するために、ＴＸデータプロセッサ２０２によって共にブロックされ、信号コンステレーションにマッピングされうる符号シンボルのシーケンスに帰着する。
【００２７】
ＯＦＤＭを実現する無線ノードにおいて、ＴＸデータプロセッサ２０２からの変調シンボルは、ＯＦＤＭ変調器２０４に提供されうる。ＯＦＤＭ変調器２０４は、変調シンボルを、多数の並列ストリームに分け、次に、ある変調コンステレーションを使用して、各ストリームをサブキャリアにマッピングする。次に、各々がキャリアのセットを有する時間ドメインＯＦＤＭシンボルを生成するために、高速フーリエ逆変換（ＩＦＦＴ）が、サブキャリアの各セットに実行される。そのＯＦＤＭシンボルは、複数のデータパケットのペイロードに分散される。
【００２８】
無線ノード２００の少なくとも１つの構成において、プリアンブルは、各データパケットのペイロードと共に搬送される。そのプリアンブルは、プリアンブルユニット２０３によってＯＦＤＭ変調器２０４に提供されるいくつかのシンボルから構成されうる。ＯＦＭＤ変調器２０４は、そのプリアンブルシンボルを多数の並列ストリームに分け、次に、ある変調コンステレーションを使用して各ストリームをサブキャリアにマッピングする。次に、プリアンブルを構成する１または複数の時間ドメインＯＦＤＭシンボルを生成するために、ＩＦＦＴが、サブキャリアの各セットに実行される。次に、そのプリアンブルは、データパケットをＴＸ空間プロセッサ２０５に提供する前に、各データパケットによって搬送されるペイロードに付加される。
【００２９】
ＴＸ空間プロセッサ２０５は、空間処理をそのデータパケットに実行する。これは、データパケットを、多数の空間プリコーディングストリームへと空間的にプリコーディングし、次に、空間的にプリコードされたストリームの各々を、トランシーバ２０６を介して異なるアンテナ２０８に提供することによって達成されうる。各トランシーバ２０６は、無線チャネルを通して送信するために、プリコーディングされたそれぞれのストリームを用いてＲＦキャリアを変調する。
【００３０】
受信モードにおいて、各トランシーバ２０６は、それぞれのアンテナ２０８を通して信号を受信する。各トランシーバ２０６は、ＲＦキャリア上に変調された情報を復元し、その情報をＲＸ空間プロセッサ２１０に提供するために使用されうる。
【００３１】
ＲＸ空間プロセッサ２１０はその情報に対して空間処理を実行し、無線ノード２００に向けられた任意の空間ストリームで搬送されるデータパケットを復元する。その空間処理は、チャネル相関行列変換（ＣＣＭＩ）、最小二乗平均誤差（ＭＭＳＥ）、ソフト干渉除去（ＳＩＣ）、または、ある別の適切な技術に従って実行されうる。
【００３２】
プリアンブルユニット２０３は、各データパケットのプリアンブルを使用して、同期情報をＯＦＤＭ復調器２１２に提供するであろう。ＯＦＤＭ復調器２１２は、データパケットのペイロード内のＯＦＭＤシンボルにおけて各サブキャリア上で搬送されるデータを復元し、そのデータを変調シンボルのストリームへと多重送信する。ＯＦＤＭ復調器２１２は、そのストリームを、高速フーリエ変換（ＦＦＴ）を使用して時間ドメインから周波数ドメインに変換する。周波数ドメイン信号は、各サブキャリアのための個別ストリームを備える。
【００３３】
チャネル推定器２１５は、ＯＦＤＭ復調器２１２からのストリームを受信し、チャネル応答を推定する。プリアンブルの一部として、パイロット信号のセットが存在しうる。各パイロット信号は、一般的に、無線チャネルを通る送信により、位相がシフトされるであろう。位相シフトされたパイロット信号のＭＭＳＥ推定値が計算され、そのＭＭＳＥ推定値は、位相誤差を推定し、その結果としてチャネル応答を推定するために使用される。そのチャネル応答は、ＲＸデータプロセッサ２１４に提供される。
【００３４】
ＲＸデータプロセッサ２１４は、変調シンボルを、信号コンステレーションの正確な点に戻すために使用される。無線チャネルのノイズおよび別の障害により、変調シンボルは、元の信号コンステレーションにおける点の正確な位置に対応しない可能性がある。チャネル応答を使用して、ＲＸデータプロセッサ２１４は、受信された点と、信号コンステレーション内の有効なシンボルの位置との最短距離を発見することによって、どの変調シンボルが送信された可能性が高かったかを検出する。これらのソフト決定は、ターボ符号化の場合に、例えば、所与の変調シンボルと関連付けられた符号シンボルの対数尤度比（ＬＬＲ）を計算するために使用されうる。次に、ＲＸデータプロセッサ２１４は、符号シンボルのＬＬＲのシーケンスと、位相誤誤差推定値とを使用して、データをデータシンク２１８に提供する前に最初に送信されたデータを復号する。
【００３５】
各データパケット内のプリアンブルは、トレーニングシーケンスを含む。トレーニングシーケンスは、多数の変調シンボルを含む。トレーニングシーケンスは、ショートトレーニングフィールド（ＳＴＦ）および／またはロングトレーニングフィールド（ＬＴＦ）を備えうる。プリアンブルユニット２０３は、ＯＦＤＭ変調器２０４と共に、次のメカニズムに従ってプリアンブルを生成する。プリアンブルは、データの長さと変調スキームとを示す情報を含む少なくとも１つのシンボルを分散することによって生成される。そのような情報は、データパケットのうちの少なくとも２つについて異なりうる。プリアンブルユニット２０３は、さらに、トレーニングシーケンスの少なくとも一部、すなわち、ＳＴＦまたはＬＴＦを、複数のデータパケットのうちの第１のデータパケットにおける第１のシンボルにわたって、並びに、複数のデータパケットのうちの第２のデータパケットにおける第２のシンボルにわたって分散するように構成される。受信側では、データパケットを復号する際に、ＯＦＤＭ復調器２１２を支援するためにプリアンブルユニット２０３が使用される。次の記述は、送信側におけるプリアンブルユニット２０３によって実行される動作ステップについてのさらなる詳細の記述である。
【００３６】
トレーニングシーケンスのさらなる一部を、複数のデータパケットのうちの第３のデータパケットにおける第３のシンボルに、または、時間的に第１のシンボルの後に続く、複数のデータパケットのうちの第１のデータパケットにおける別のシンボルに、または、時間的に第１のシンボルの後に続く、複数のデータパケットのうちの第３のデータパケットにおける別のシンボルに分散することによってもプリアンブルが生成されうる。さらに、第１のシンボルにおけるトレーニングシーケンスの一部は、時間的に第３のシンボルの後に続く、複数の空間ストリームのうちの第１の空間ストリームにおける第４のシンボルに分散されうる。
【００３７】
さらに、第１および第２のシンボルの各々が複数のサブキャリアを有する場合、トレーニングシーケンスは、第１および第２のシンボルにおける異なるサブキャリアにわたって分散される。第１のシンボルにおけるトレーニングシーケンスの一部は、巡回的に遅延しうる。
【００３８】
複数のシンボルのうちの第１のシンボルが、信号を搬送する多数のサブキャリアを含む場合、サブキャリアによって搬送される信号は、第１のシンボルにおけるトレーニングシーケンスの一部と乗じられうる。または、第１のシンボルが、複数の帯域内サブキャリアおよび帯域外サブキャリアを含む場合、第１のシンボルにおけるトレーニングシーケンスの一部は、帯域内サブキャリアにわたって分散され、帯域外サブキャリアは減衰する。
【００３９】
プリアンブルを生成する際に、複数のシンボルのうちの少なくとも１つが、スプーフ変調スキーム（spoof modulation scheme）を用いて変調されうる。さらに、複数の空間ストリームのうちの第１の空間ストリームにおける複数のシンボルのうちの１個のシンボルが、第１の変調スキームを用いて変調され、複数の空間ストリームのうちの第１の空間ストリームにおける複数のシンボルのうちの別のシンボルが、第１の変調スキームとは異なる第２の変調スキームを用いて変調されうる。
【００４０】
次の図は、構成されうる多数の例示的なプリアンブルを示している。新しい例示的なプリアンブルは、既存の１１ｎ（８０２．１１バージョンｎ）プリアンブルで始まり、スプーフされたレートおよび長さフィールドを使用する高スループット信号（ＨＴ−ＳＩＧ）を含む。追加のＨＴ−ＳＩＧフィールドは、新しいモードを信号送信するために使用され、変更された高スループットロングトレーニングフィールド（ＨＴ−ＬＴＦ）は、より多くのトーンおよび／またはより多くの空間ストリームのチャネル推定に使用される。
【００４１】
グリーンフィールド（ＧＦ）についての追加のＨＴ−ＳＩＧを有するコンテキストにおいて、第３のＨＴ−ＳＩＧシンボルが、既存のＨＴ−ＳＩＧシンボルの後に挿入される。二位相偏移変調（ＢＰＳＫ）スプールレートは、１１ｎ ＨＴ−ＳＩＧにおける１個の空間ストリームで使用される。既存の回転ＢＰＳＫメカニズムは、第３のＨＴ−ＳＩＧの存在を検出するために使用される。ＨＴ−ＬＴＦは、４０ｍＨｚ １１ｎサブチャネルにおいて、１１ｎよりも多くのサブキャリアを使用しうる。レガシ問題を回避するために、第１のＨＴ−ＬＴＦは、１１ｎサブキャリアを使用する。これは、４０ＭＨｚサブキャリアの各々において、１１４個のサブキャリアを有することにつながるであろう。
【００４２】
追加のＨＴ−ＳＩＧのコンテキストにおいて、混合モード（ＭＭ）では、第３のＨＴ−ＳＩＧは、第１のＨＴ−ＬＴＦの後に挿入される。第３のＨＴ−ＳＩＧは、利得ステップがその時点で行われるため、既存のＨＴ−ＳＩＧの後に挿入されない可能性がある。さらに、ＢＰＳＫスプーフレートは、１１ｎ ＨＴ−ＳＩＧにおいて１個の空間ストリームで使用され、既存の回転ＢＰＳＫメカニズムは、第３のＨＴ−ＳＩＧの存在を検出するために使用される。
【００４３】
追加のＨＴ−ＳＩＧオプションを有するコンテキストにおいて、回転ＢＰＳＫを使用する１個の追加のシンボルは、２４個の追加のシグナリングビットが十分である場合、用いられうる。回転ＢＰＳＫを使用する２個の追加のシンボルは、より多くのオーバーヘッドに帰着することができる。直交偏移位相（ＱＰＳＫ）を使用する１個の追加のシンボルは、回転ＢＰＳＫに対するＱＰＳＫを検出する際の信号対ノイズ比（ＳＮＲ）ペナルティに帰着しうる。追加のＨＴ−ＳＩＧ３のパイロットが反転されうる。
【００４４】
図３は、第３のＨＴ−ＳＩＧシンボルを有する例示的な混合モードプリアンブルのセット３００を描写する図であり、混合モードプリアンブル３０２〜３０８を含む。第３のＨＴ−ＳＩＧは、ＨＴ−ＬＴＦのサインおよび巡回遅延に一致させるために、ＨＴ−ＳＩＧ１およびＨＴ−ＳＩＧ２とは異なるサインおよび巡回遅延を有する。高スループット−ショートトレーニングフィールド（ＨＴ−ＳＴＦ）までの全てのシンボルは、恐らく９０度の位相回転を伴った、２個の４０ＭＨｚチャネルにおける１１ｎの４０ＭＨｚコピーである。ＨＴ−ＳＴＦの後のシンボルは、２個の１１ｎ ４０ＭＨｚチャネルよりも多くのサブキャリアを有するためにトーンフィリングを使用しうる。図３に示される例示的な混合モードプリアンブルのセット３００は、４つのアンテナのためのものであり、これは、別の４つのアンテナで異なる巡回遅延を使用することによって、８つまで拡張されうる。
【００４５】
図４は、第３のＨＴ−ＳＩＧシンボルを有する例示的なグリーンフィールドプリアンブルのセット４００を描写する図であり、グリーンフィールドプリアンブル４０２〜４０８を含む。レガシ１１ｎデバイスは、スプーフ長およびスプーフＢＰＳＫレートを含むＨＴ−ＳＩＧ１および２に基づいて拡張しなければならない。ＢＰＳＫチェックは、新しいモードを検出するために、ＨＴ−ＳＩＧ３で回転させられうる。
【００４６】
図５は、追加のＨＴ−ＬＴＦを有する例示的なプリアンブルのセット５００を描写する図であり、プリアンブル５０２〜５０８を含む。図５のプリアンブルのセット５００に含まれるプリアンブルは、追加のＨＴ−ＬＴＦを有することを除けば、例示的なグリーンフィールドプリアンブルのセット４００に類似している。そのため、第１のＨＴ−ＬＴＦにおいてトーンフィリングを行う必要がない。
【００４７】
図６は、例示的なＶＨＴ専用グリーンフィールドプリアンブルのセット６００を描写する図であり、ＶＨＴ専用グリーンフィールドプリアンブル６０２〜６０８を含む。図６に示される例示的なＶＨＴ専用グリーンフィールドプリアンブルのセット６００は、媒体がある時間の間リザーブされる場合、ＶＨＴネットワークに対して使用されるか、あるいは、送信動作内で使用される。このプリアンブルの検出は、ＨＴ−ＳＩＧ３上でのＱＰＳＫ検出によって、あるいは、反転パイロットをＨＴ−ＳＩＧ３で使用することによって行われる。このプリアンブルは、４個の空間ストリームのためのものであり、異なる巡回遅延を使用することによって、および、異なるＨＴ−ＬＴＦを使用することによって、８個またはそれ以上に拡張されうる。
【００４８】
図７は、追加のＨＴ−ＳＴＦを有する例示的な代替混合モードプリアンブルのセット７００を描写する図であり、代替混合モードプリアンブル７０２〜７０８を含む。図７に示される例示的な代替混合モードプリアンブルのセット７００は、ビームフォーミングと組み合わせて使用される。ここで、ビームフォーミングは、ＨＴ−ＳＩＧ３まで隠し（hidden）ノード問題が存在しないように、ＨＴ−ＳＩＧ３の後に開始することができるプリアンブルには、さらに、１つの追加のＨＴ−ＳＴＦおよび１つの追加のＨＴ−ＬＴＦという８マイクロ秒が存在しうる。この代替プリアンブルは、全てのデバイスが、ＨＴ−ＳＩＧ １および２によって示される長さぶん拡張することを要求される場合、必要ない可能性がある。
【００４９】
４個よりも多くの空間ストリームの場合、１１ｎ拡張において、より多くのＨＴ−ＬＴＦシンボル（例えば、８個の空間ストリームのための長さ８のウォルシュコードを備える８個のシンボル）が使用されうる。プリアンブルのＨＴ−ＬＴＦ部について、いくつかのより短い代替例が存在する。例えば、ある代替例は、空間ストリーム同士を区別するためにトーン補間を使用し、別の代替例は、空間ストリーム同士を区別するために大きい巡回遅延（ＣＤ）または巡回遅延ダイバーシティ（ＣＤＤ）値を使用しうる。どちらの方法も、受信機におけるチャネル補間を要求しうる。
【００５０】
図８は、４個の空間ストリームについての例示的な短縮チャネルトレーニングシーケンスのセット８００を描写する図であり、短縮チャネルトレーニングシーケンス８０２〜８０８を含む。空間ストリームの２つのペアを分離するために、ウォルシュコードと組み合わせた１６００ｎｓ ＣＤが使用されうる。チャネル短縮および補間が、チャネルトレーニングを行うために受信機において必要とされうる。
【００５１】
図９は、８個の空間ストリームについての、例示的なチャネルトレーニングシーケンスのセット９００を描写する図であり、短縮チャネルトレーニングシーケンス９０２〜９１６を含む。図８について示される例と同様に、この場合においても、空間ストリームの２つのペアを分離するために、ウォルシュコードと組み合わせた１６００ｎ ＣＤが使用される。チャネル短縮および補間も、チャネルトレーニングを実行するために、受信機において必要とされうる。
【００５２】
図１０は、８個の空間ストリームについての、例示的な代替チャネルトレーニングシーケンスのセット１０００を描写する図であり、短縮チャネルトレーニングシーケンス１００２〜１０１６を含む。図１０を参照すると、各空間ストリームに対するインパルス応答は、両方の列の加算および減算の後に４個の空間ストリームを分離するために、８００ｎｓに制限される必要がありうる。
【００５３】
望まれないあらゆるビームフォーミングを回避するために、ある一定ＣＤ（例えば、２００ｎｓ）を、図９および１０に示されるプリアンブルの下位４行に追加することが望まれうる。８個の空間ストリームグリーンフィールドプリアンブルを有するＨＴ−ＳＩＧ３は、３６マイクロ秒となりうる。それは、現在の４個の空間ストリーム８０２．１１ｎグリーンフィールドプリアンブルと同じ長さでありうる。
【００５４】
現在の１１ｎ ＨＴ−ＬＴＦは、位相ノイズおよび周波数誤差に敏感でありうる。チャネルトレーニングインターバル中の共通位相誤差を推定する１つの方法は、チャネルトレーニングインターバル全体を通して、空間ストリーム後との相対位相を変化させないパイロットトーンのサブセットを使用することである。
【００５５】
代替として、チャネルトレーニングシンボルのガード時間を増加させうる。１１ｎシステムは、遅延分散を処理するために要求されるガード時間８００ｎｓを使用する。このガード時間を１６００ｎｓあるいはそれ以上に増やすことによって、全てのＨＴ−ＬＴＦにおけるかなりの量のサンプルが、シンボル毎の周波数誤差を推定するために使用されうる。２８００ｎｓガードインターバルは、周波数推定に利用可能な２マイクロ秒と共に、６マイクロ秒のシンボル持続時間をＨＴ−ＬＴＦに与えるであろう。周波数推定は、インターバル８００ｎｓから２８００ｎｓにおけるサンプルと、インターバル４０００ｎｓから６０００ｎｓにおけるサンプルの位相とを比較することによって行われうる。
【００５６】
図１１は、拡張ＨＴ−ＬＴＦを有する例示的なＶＨＴ専用グリーンフィールドプリアンブルのセット１１００を描写する図であり、ＶＨＴ専用グリーンフィールドプリアンブル１１０２〜１１１６を含む。より具体的には、図１１は、８０ＭＨｚチャネルにおける８個の空間ストリームについての３８マイクロ秒プリアンブルを示す（１１ｎグリーンフィールドプリアンブルは、４個の空間ストリームについて、３６マイクロ秒である）。ＨＴ−ＬＴＦは、８マイクロ秒に拡張され、それは、プリアンブルを４４マイクロ秒にしうる。
【００５７】
記述された８空間ストリームトレーニングのような既存のＮｓｓ空間ストリームチャネルトレーニングＨＮは、次の式によって、空間ストリームの数を二倍にするための新しいトレーニングパターンを作るために使用されうる。
【数１】
2014075805.tif 000003
【００５８】
この拡張を用いて、ＨＴ−ＬＴＦシンボルの数が倍であることを除けば、８空間ストリームプリアンブルと同じ長さである１６空間ストリームプリアンブルが生成されうる。
【００５９】
図１２は、１６個の空間ストリームについての、例示的なチャネルトレーニングシーケンスのセット１２００を描写する図であり、チャネルトトレーニングシーケンス１２０２〜１２３２を含む。
【００６０】
ＳＤＭＡダウンリンクの場合のＶＨＴ信号フィールドに関して、ＳＤＭＡダウンリンクビームフォーミング行列が後に続く単一の空間ストリームが使用されうる。例えば、２空間―時間ストリームクライアントの場合、最初に、−４００ｎｓのＣＤＤを用いて２個のＶＨＴ−ＳＩＧコピーが生成されうる。次に、例えば、８個のＴＸ（送信）信号を得るために、（８個のアンテナを有するＡＰの場合）ビームフォーミング行列が適用されうる。
【００６１】
アップリンクの場合のＶＨＴ−ＳＩＧに関して、クライアントは、ＡＰが処理可能な空間ストリームの最大数に等しい数の空間ストリームでプリアンブルを送信しうる。あるいは、空間ストリームの数は、全てのアップリンクストリームの総数よりも多くありうる。ＡＰは、ＨＴ−ＬＴＦチャネル推定の後に、異なるＶＨＴ−ＳＩＧでＭＩＭＯ検出を行うことができる。
【００６２】
ＳＤＭＡアップリンクについて、上に記述されたプリアンブルが使用されるが、各ユーザは、利用可能な空間ストリームの異なる部分で送信することが必要となるであろう。例えば、３人のユーザおよび１６個の空間ストリームがある場合、ユーザ１は、空間ストリーム１〜８を使用して送信し、ユーザ２は、空間ストリーム９〜１４を使用して送信し、ユーザ３は、空間ストリーム１５〜１６を使用して送信する。
【００６３】
各ユーザがどの変調およびパケット長を有するかを、ＡＰが事前に知っていない限り、ユーザ毎に異なる必要のありうるＶＨＴ−ＳＩＧについての問題が存在しうる。１つの可能性は、最後のＶＨＴ−ＬＴＦの後にＶＨＴ−ＳＩＧを有することであろう。ＳＤＭＡアップリンクにおけるＶＨＴ−ＳＩＧに関して、各クライアントがどれだけの数のストリームを送信するかを、ＡＰが事前に知っていると仮定される。例えば、これは、あるスケジュールメカニズムによって満たされうる。最後のＶＨＴ−ＬＴＦの後、各クライアントは、異なるＣＤＤを有するＶＨＴ−ＳＩＧのコピーを、各空間ストリームで送信しうる。
【００６４】
以上の図は、送信機毎に異なるＣＤＤ値を有する８０２．１１ｎ ＳＴＦから構成されるショートトレーニングフィールド（ＳＴＦ）を示す。しかしながら、より良い自動利得制御（ＡＧＣ）設定の代替的なＳＴＦ信号が可能である。さらに、代替的なＬＴＦシンボルもまた存在する。
【００６５】
図１３は、異なるＳＴＦおよびＬＴＦを有する例示的なＶＨＴグリーンフィールドプリアンブルのセット１３００を描写する図であり、ＶＨＴグリーンフィールドプリアンブル１３０２〜１３１６を含む。図１３に関して、ＶＨＴグリーンフィールドプリアンブルのセット１３００内の各プリアンブルは、８個の異なるＳＴＦおよびＬＴＦを加えることによって、且つ、２個のＬＴＦシンボルのグループに８×８のウォルシュ・アダマール符号化を使用することによって１６個の空間ストリームに拡張されうる。図１３に示されるスキームは、４×４のウォルシュ・アダマール符号化を、２個のＬＴＦシンボルのグループに対して使用する。
【００６６】
下記は、ＬＴＦ１＝周波数ドメインにおいて{1,-1,1,-1,...}パターンが乗じられたＬＴＦ２となるように、１６００ｎｓ巡回遅延されたペアである：｛ＬＴＦ１,ＬＴＦ２｝、｛ＬＴＦ３,ＬＴＦ４｝、｛ＬＴＦ５,ＬＴＦ６｝、｛ＬＴＦ７,ＬＴＦ８｝。送信機のためのＶＨＴ−ＳＩＧサブキャリアｍは、それらの対応するＬＴＦのｍ個のサブキャリア値が乗じられる。これによって、１１ｎパケットにおけるＨＴ−ＳＩＧの復号に類似して、全てのＬＴＦシンボルを受信する前にＶＨＴ−ＳＩＧを復号することが可能になる。データシンボルは、例えば、ｍ×２００ｎｓのような周期遅延値ＣＤｍを使用して、任意の望まれないビームフォーミング効果を防ぎうる。
【００６７】
図１４は、例示的なＶＨＴグリーンフィールドフレームフォーマットのセット１４００を描写する図であり、ＶＨＴグリーンフィールドフレームフォーマット１４０２〜１４１６を含む。図１４を参照すると、各ユーザは、１〜８個の空間ストリームを有しており、それは、ユーザ毎に異なるプリアンブル長に帰着する。
【００６８】
図１５は、開ループＭＩＭＯについての例示的なＶＨＴグリーンフィールドフレームフォーマットのセット１５００を描写する図である。例示的なＶＨＴグリーンフィールドフレームフォーマットのセット１５００は、ＶＨＴ専用ネットワーク、あるいは、８０２．１１ｎ ＮＡＶ（ネット割当ベクトル）設定が先行する送信動作で使用されうる。ＶＨＴ−ＳＩＧを含むプリアンブル長は、８個の空間ストリームについて３２マイクロ秒である。そのフォーマットは、さらに４個のＬＴＦを追加することによって、１６個の空間ストリームに拡張されうる。フレームの全ての部分は、ＳＤＭＡの場合、等しくプリコーディングされる。ＶＨＴ−ＳＩＧのコンテンツは、同一のユーザに向けられた空間ストリーム上で同一である。ＶＨＴ−ＳＩＧサブキャリアは、ＬＴＦ周波数ドメイン値が乗じられ、それによって、各ユーザが、チャネル推定のために、最初に受信されたＬＴＦを使用してＶＨＴ−ＳＩＧの単一入力多重出力（ＳＩＭＯ）復号を行うことを可能にする。同一のフレームフォーマットが、開ループＭＩＭＯのために使用されうる。全てのＶＨＴ−ＳＩＧコンテンツは、受信側ユーザが１人しか存在しない場合、同一である。ＶＨＴ−ＧＦは、ＶＨＴ−ＳＩＧにおけるＱＰＳＫ検出によって、あるいは、ＶＨＴ−ＳＤＩＧにおいて反転パイロットを検出することによって検出されうる。
【００６９】
図１６は、例示的な超高スループット混合モード（ＶＨＴ−ＭＭ）フレームフォーマットのセット１６００を描写する図であり、ＶＨＴ−ＭＭフレームフォーマット１６０２〜１６１６を含む。
【００７０】
図１７は、開ループＭＩＭＯについての例示的なＶＨＴ−ＭＭフレームフォーマットのセット１７００を描写する図であり、ＶＨＴ−ＭＭフレームフォーマット１７０２〜１７１６を含む。
【００７１】
ＶＨＴ−ＳＩＧを含むプリアンブル長は、８個の空間ストリームについて、５２マイクロ秒である。そのフォーマットは、さらに４個のＬＴＦを追加することで１６個の空間ストリームに拡張されうる。ＳＤＭＡビームフォーミングは、ＨＴ−ＳＩＧ２の後に開始する。ＶＨＴ−ＳＩＧのコンテンツは、同一のユーザに向けられた空間ストリーム上で同一である。ＶＨＴ−ＳＩＧサブキャリアは、ＬＴＦ周波数ドメイン値が乗じられ、それによって、各ユーザは、チャネル推定のために最初に受信されたＬＴＦを使用してＶＨＴ−ＳＩＧのＳＩＭＯ復号を行うことができる。同一のフレームフォーマットが、開ループＭＩＭＯのために使用される。全てのＶＨＴ−ＳＩＧコンテンツは、受信側ユーザが１人しか存在しない場合、同一である。
【００７２】
ＶＨＴ−ＭＭは、ＶＨＴ−ＳＩＧでの回転ＢＰＳＫチェックによって、あるいは、ＶＨＴ−ＳＩＧ上のＱＰＳＫ検出によって（ＶＨＴ−ＳＩＧ ＱＰＳＫが１個のシンボルにおいてより多くのビットを得るために使用される場合）、あるいは、ＶＨＴ−ＳＩＧにおける反転パイロットの検出によって検出されうる。受信機が、ＶＨＴ−ＭＭを検出した場合、ＢＰＳＫデータシンボルとＶＨＴ−ＳＩＧとを区別するように、ＢＰＳＫ １１ｎスプーフレートが使用されうる。ＨＴ−ＳＩＧコンテンツは、リザーブされたビットを使用することなく、完璧に１１ｎに準拠している。ＶＨＴ−ＳＩＧは、（Ｖ）ＨＴ−ＳＴＦにおいて、ＨＴ−ＳＩＧのすぐ後に行われるＡＧＣ利得設定のため、ＨＴ−ＳＩＧのすぐ後になることができない。巡回遅延値は、−２００ｎｓの倍数（巡回遅延したＬＴＦシンボルが使用された場合に、ＬＴＦで使用される値と同一の値）である。
【００７３】
図１８は、例示的なアップリンクフレームフォーマットのセット１８００を描写する図であり、アップリンクフレームフォーマット１８０２〜１８１６を含む。各アップリンクユーザは、１〜８個または１〜１６個の利用可能な空間ストリームの異なるサブセット使用する。１１ｎ ＮＡＶ設定を含みうる、アップリンクＳＤＭＡ送信動作（ＴＸＯＰ）の開始を示すＡＰパケットが常に存在すると仮定されるため、混合モードプリアンブルは存在しない。ＶＨＴ−ＳＩＧは、ＡＰがＭＩＭＯ検出をユーザ毎に異なるＶＨＴ−ＳＩＧに行う必要があるため、全てのＬＴＦシンボルの後に生じる。ユーザが、１個よりも多くの空間ストリームを送信すると、そのＶＨＴ−ＳＩＧコンテンツは、そのユーザが送信する全てのストリームにおいて同一になるであろう。
【００７４】
ＡＰは、各ユーザがいくつの空間ストリームを有するかを事前に知る必要がある。そのため、この情報は、ＶＨＴ−ＳＩＧに含まれる必要はない。アップリンクフレームフォーマットは、ＡＰが、いくつの空間ストリームが存在するかを事前に知らない可能性があるため、開ループＭＩＯＭのために使用されない可能性がある。このように、ＶＨＴ−ＳＩＧは、全てのチャネルトレーニングを事前に有することが望まれるであろう。
【００７５】
図１９は、例示的な代替ＶＨＴグリーンフィールドフレームフォーマットのセット１９００を描写する図であり、代替ＶＨＴグリーンフィールドフレームフォーマット１９０２〜１９１６を含む。各ユーザは、１〜８個の空間ストリームを有し、それによって、ユーザ毎に異なるプリアンブル長に帰着する。
【００７６】
図２０は、開ループＭＩＭＯについての例示的な代替ＶＨＴグリーンフィールドフレームフォーマットのセット２０００を描写する図であり、代替ＶＨＴグリーンフィールドフレームフォーマット２００２〜２０１６を含む。「LTF1*VHT-SIG」という表記は、サブキャリア毎の、要素毎の（element-wise）乗算を意味する。各ＶＨＴ−ＳＩＧサブキャリアは、対応するＬＴＦサブキャリア値が乗じられる。ＬＴＦサブキャリア値は、巡回遅延によって引き起こされる位相回転を含みうる。ＬＴＦシンボルは、トーンインターリーブされる。ＬＴＦは、サブキャリアにのみ、非ゼロエレメントを有する。ＬＴＦシンボルは、より簡潔で、より正確なトーン補間を容易にするために１または複数の帯域外トーンを使用しうる。帯域外トーンは、データシンボルにおいて使用されないトーンである。ＬＴＦ帯域外トーンは、それらが、送信されるスペクトルマスクへ及ぼすインパクトがより少なくなるように、指定量分減衰されうる。
【００７７】
ＶＨＴ−ＬＴＦサブキャリア値は、VHT-LTFi(i+kNss) = Nss1/2 L(i+kNss), k=0, 1,..., floor(Nsc/Nss), i+kNss<Nsc         VHT-LTFi(j) = 0, j ≠ i+kNssとして定義される。Ｎｓｃは、サブキャリアの総数であり、Ｎｓｓは、アップリンクにおける空間ストリームの最大数（４または２）であり、Ｌ（ｋ）は、８０２．１１ｎと同数のサブキャリアを使用する場合において８０２．１１ｎ長のトレーニングシンボルでありうる、バイナリロングトレーニングシンボルパターンの第ｋのサブキャリア値である。例として、２０ＭＨｚチャネルにおける８個の空間ストリームプリアンブルについて、ＶＨＴ−ＬＴＦ０は、トーン{０,８,１６,...,５２}においてのみ非ゼロ値を有し、ＶＨＴ−ＬＴＦ１は、{１,９,１７,...,５３}において非ゼロトーンを有する。
【００７８】
図２１は、例示的な代替ＶＨＴ−ＭＭフレームフォーマットのセット２１００を描写する図であり、代替ＶＨＴ−ＭＭフレームフォーマット２１０２〜２１１６を含む。
【００７９】
図２２は、開ループＭＩＭＯについての例示的な代替ＶＨＴ−ＭＭフレームフォーマットのセット２２００を描写する図であり、代替ＶＨＴ−ＭＭフレームフォーマット２２０２〜２２１６を含む。
【００８０】
図２３は、例示的な代替アップリンクフレームフォーマットのセット２３００を描写する図であり、代替アップリンクフレームフォーマット２３０２〜２３１６を含む、各アップリンクユーザは、１〜８個または１〜１６個の利用可能な空間ストリームの異なるサブセットを使用する。アップリンクＳＤＭＡ送信動作の開始を示すＡＰパケットが常に存在することが仮定されるため、混合モードプリアンブルは存在しない。
【００８１】
ＶＨＴ−ＳＩＧは、ＡＰがユーザ毎にＭＩＭＯ検出を異なるＶＨＴ−ＳＩＧに対して行う必要があるため、全てのＬＴＦシンボルの後に生じる。ユーザが、１個よりも多くの空間ストリームを送信する場合、そのＶＨＴ−ＳＩＧコンテンツは、そのユーザが送信する全てのストリーム上で同一である。ＡＰは、各ユーザがいくつの空間ストリームを有するかを、事前に知る必要がある。いくつの空間ストリームが存在するかが事前に知られていないため、アップリンクフレームフォーマットが、開ループＭＩＭＯのために使用されず、そのため、全てのチャネルトレーニングの前に、ＶＨＴ−ＳＩＧを有する必要がある。
【００８２】
図２０〜２３において、全てのトーンを得るために補間が要求されるために、各空間ストリーム上でＬＴＦトーンの半分のみが送信される。下に記述される図２４〜２９において、全てのＬＴＦトーンは、全ての空間ストリーム上で送信される。ＬＴＦシンボルの増加数は、より簡潔な受信機処理の利点を有する。
【００８３】
図２４は、例示的な代替ＶＨＴグリーンフィールドフレームフォーマットのセット２４００を描写する図であり、代替ＶＨＴ−ＧＦフレームフォーマット２４０２〜２４１６を含む、これらのフレームフォーマットは、ＶＨＴ専用ネットワークにおいて、あるいは、１１ ＮＡＶ設定に先行するＴＸＯＰにおいて使用されうる。図２４のフレームフォーマット２４０２〜２４１６は、空間ストリームの各々に全てのＬＴＦトーンを含むことを除き、図２０のフレームフォーマット２００２〜２０１６に類似している。例えば、フレームフォーマット２４０２は、ＬＴＦ１〜ＬＴＦ８を含むのに対して、図２０のフレームフォーマット２００２は、ＬＴＦ１、ＬＴＦ３、ＬＴＦ５、およびＬＴＦ７しか含まない。
【００８４】
ＶＨＴ−ＳＩＧを含むプリアンブル長は、８個の空間ストリームについて、５２マイクロ秒である。図２４のＶＨＴ−ＧＦフレームフォーマットは、さらに８個のＬＴＦを追加することによって１６個の空間ストリームに拡張されうる。データシンボルは、明示的なサウンディング（sounding）のため、あるいは、暗示的なサウンディングの較正サポートのために使用されるヌルデータパケット（ＮＤＰ）に存在しない。
【００８５】
図２４において、ＶＨＴ−ＳＩＧは、ＢＰＳＫの代わりにＱＰＳＫを使用して、シンボルを保存する。ＶＨＴ−ＳＩＧサブキャリアは、ＬＴＦ周波数ドメイン値が乗じられ、それは、チャネル推定として最初に受信されたＬＴＦシンボルを使用してＶＨＴ−ＳＩＧのＳＩＭＯ復号を可能にする。「LTF1*VHT-SIG」という表記は、サブキャリア毎の、要素毎の乗算を意味する。各ＶＨＴ−ＳＩＧサブキャリアは、対応するＬＴＦサブキャリア値が乗じられる。ＬＴＦシンボルは、トーンインターリーブされる。ＬＴＦは、サブキャリアi+kNssにのみ非ゼロエレメントを有する。ここで、Ｎｓｓは、ユーザ毎の空間ストリームの数であり、k = {0,1,…floor(N/Nss)}であり、Ｎはトーンの総数である。
【００８６】
トーンインターリーブされたＬＴＦシンボルは、ＬＴＦへの残留周波数誤差のインパクトを減少させうる。ウォルシュ符号化ＨＴ−ＬＴＦシンボルを使用する１１ｎにおけるチャネルトレーニングは、残留周波数誤差に敏感であり、下記影響を有する：（１）周波数誤差がサブキャリアスペーシングの１％未満である限り、それが小規模の影響である場合であっても、チャネル間干渉（ＩＣＩ）の増加、および、（２）トレーニング期間が長くなればなるほど大きくなりうるより重要な影響であるウォルシュ符号化の直交性の損失。ウォルシュ符号化チャネルトレーニングから異なる周波数オフセットを推定し、修正する簡単な方法は存在しない。しかしながら、トーンインターリーブされたＬＴＦシンボルを用いることによって、全てのシンボルの各サブキャリア上で、全てのストリームの合計の代わりに、１つのアクティブストリームだけが存在するため、ウォルシュ直交性の損失は生じない。さらに、最後のＬＴＦシンボルは、チャネル指定インターバルにわたって残留周波数を推定する簡潔で正確な方法を提供するために最初のシンボルの繰り返しである。
【００８７】
ＶＨＴ受信機は、ＶＨＴ−ＳＩＧにおいて反転パイロット（１１ｎパイロットに関して反転される）を検出することによって、１１ｎパケットと、ＶＨＴグリーンフィールドパケットとを区別しうる。１つの代替例は、１１ｎＨＴ−ＳＩＧの場合のＢＰＳＫとは対照的に、ＱＰＳＫを検出することである。
【００８８】
図２５は、例示的な代替ＶＨＴ−ＭＭフレームフォーマットのセット２５００を描写する図であり、代替ＶＨＴ−ＭＭフレームフォーマット２５０２〜２５１６を含む。これらのフレームフォーマット２５０２〜２５１６は、１１ｎとの共存を提供する。例えば、ＨＴ−ＳＩＧまでのプリアンブルの第１の部分は、完全にＩＥＥＥ ８０２．１１ｎに準拠しており、１１ｎ ＢＰＳＫスプーフレートを使用する。ＶＨＴ受信機は、ＢＰＳＫデータシンボルと、反転ＢＰＳＫを使用するＶＨＴ−ＳＩＧとを区別することによってＶＨＴ−ＭＭを検出することができる。レガシ１１ｎデバイスは、リザーブされたＨＴ−ＳＩＧビットが、ＩＥＥＥ ８０２．１１ｎで指定されるように設定されていない場合、拡張する必要はない。
【００８９】
図２５のフレームフォーマット２５０２〜２５１６は、プリアンブルの後ろのＶＨＴ部分に、全てのＬＴＦトーンを各空間ストリームに含むことを除き、図２２のフレームフォーマット２２０２から２２１６に類似している。例えば、フレームフォーマット２５０２は、プリアンブルの後ろのＶＨＴ部分にＬＴＦ１〜ＬＴＦ８を含むのに対して、図２２のフレームフォーマット２２０２は、ＬＴＦ１、ＬＴＦ３、ＬＴＦ５、ＬＴＦ７しか含まない。
【００９０】
ＶＨＴ−ＭＭフレームフォーマット２５０２〜２５１６において、ＶＨＴ−ＳＩＧを含むプリアンブル長は、８個の空間ストリームについて、７２マイクロ秒である。図２５のＶＨＴ混合モードフレームフォーマットは、さらに８個のＬＴＦを追加することによって１６個の空間ストリームに拡張されうる。データシンボルは、明示的なサウンディングのため、または、暗示的なサウンディングの較正サポートのために使用されるヌルデータパケット（ＮＤＰ）に存在しない。
【００９１】
ＶＨＴ−ＳＩＧサブキャリアは、ＬＴＦ周波数ドメイン値が乗じられ、それは、チャネル推定のために、最初に受信されたＬＴＦシンボルを使用してＶＨＴ−ＳＩＧのＳＩＭＯ復号を可能にする。ＶＨＴ−ＳＩＧは、ＶＨＴ−ＳＴＦにおいて、ＨＴ−ＳＩＧのすぐ後に行われる自動利得制御（ＡＧＣ）設定のため、ＨＴ−ＳＩＧの後にすぐには続かない。
【００９２】
図２５において、プリアンブルの後ろの部分にある巡回遅延値（ＣＤｉ）は、−２００ｎｓの倍数（巡回遅延したＬＴＦシンボルが利用される場合にＬＴＦｉにおいて使用される値と同じ値）でありうる。レガシ巡回遅延値（Ｌ−ＣＤｉ）は、−５０ｎｓの倍数でありうる。
【００９３】
図２６は、ＭＭＳＥ−ＥＳを用いるＳＤＭＡについての例示的な代替ＶＨＴグリーンフィールドフレームフォーマットのセット２６００を描写する図であり、代替ＶＨＴ−ＧＦフレームフォーマット２６０２〜２６１６を含む。各ユーザは、１〜８個の空間ストリームを有しうる。図２６の例において、４人のユーザは、各々、１個の空間ストリームを有し、１人のユーザは、４個の空間ストリームを有する。図２６において、プリアンブルの異なる部分に異なるプリコーディングが存在するため、ＶＨＴ−ＳＴＦが、全てのプリコーディングトランジションにおける受信利得を設定するために使用される。
【００９４】
図２７は、ＭＭＳＥを用いるＳＤＭＡについての、例示的な代替ＶＨＴグリーンフィールドフレームフォーマットのセット２７００を描写する図であり、代替ＶＨＴ−ＧＦフレームフォーマット２７０２〜２７１６を含む。これらのフレームフォーマット２７０２〜２７１６の場合、各ユーザは、１〜８個の空間ストリームを有することができ、それは、ユーザ毎に異なるプリアンブル長に帰着する。図２７の例において、ユーザ１〜４は、全てのトーンを有する１個のＬＴＦシンボルを有し、ユーザ５は、４個の空間ストリームについてのトーンインターリーブされたＬＴＦシンボルを有する。
【００９５】
図２８Ａ，Ｂは、ＭＭＳＥ−ＥＳを用いるＳＤＭＡについての例示的な代替ＶＨＴ混合モードフレームフォーマットのセット２８００を描写する図であり、代替ＶＨＴ−ＭＭフレームフォーマット２８０２〜２８１６を含む。各ユーザは、１〜８個の空間ストリームを有することができ、図２８Ａ，Ｂの例は、それぞれ１個の空間を有する４人のユーザと、４個の空間ストリームを有する１人のユーザとを示す。図２８Ａ，Ｂにおいて、プリアンブルの異なる部分に異なるプリコーディングが存在するため、ＶＨＴ−ＳＴＦが、全てのプリコーディングトランジションにおける受信利得を設定するために使用される。
【００９６】
図２９は、ＭＭＳＥを用いるＳＤＭＡについての例示的な代替ＶＨＴ混合モードフレームフォーマットのセット２９００を描写する図であり、代替ＶＨＴ−ＭＭフレームフォーマット２９０２〜２９１６を含む。これらのフレームフォーマット２９０２〜２９１６の場合、各ユーザは、１〜８個の空間ストリームを有することができ、それは、ユーザ毎に異なるプリアンブル長に帰着する。図２９の例において、ユーザ１〜４は、プリアンブルの少なくとも後ろのＶＨＴ部分に、全てのトーンを有する１個のＬＴＦシンボルを有し、ユーザ５は、プリアンブルの少なくとも後ろのＶＨＴ部分に、４個の空間ストリームについてのトーンインターリーブされたＬＴＦシンボルを有する。
【００９７】
図３０は、８個の空間ストリームについての例示的なウォルシュ符号化チャネルトレーニングシーケンス３００２〜３０１６のセット３０００を描写する図である。図３０において、第１のシンボルは、示されるように、９個のシンボルのトレーニングシーケンスを形成するために、８回繰り返されうる。ウォルシュパターンは、パターン全体が直交である限り変更可能である。これは、空間ストリーム内の全てのＨＴ−ＬＴＦシンボルが、サイン（すなわち、極性）を変更可能であること意味し、任意のシンボル番号のサインが、全ての空間ストリームについて変更されうる。
【００９８】
ウォルシュ符号化チャネルトレーニングシーケンスの場合、第１のＨＴ−ＬＴＦシンボルは、上に記述された別のグリーンフィールドプリアンブルと同じように、プリアンブルにおいてＨＴ―ＳＩＧよりも前に現れうる。いくつかの実施形態について、上に記述された別の混合モードプリアンブルの場合のように、第１のＨＴ−ＬＴＦシンボルの後に挿入されるＶＨＴ−ＳＩＧフィールドが存在しうる。６０または８０ＭＨｚチャネルが使用される場合、１１ｎ ＨＴ−ＬＴＦシンボルよりもＨＴ−ＬＴＦシンボルに多くのサブキャリアが存在する。
【００９９】
図３１は、ＳＤＭＡについての例示的なウォルシュ符号化チャネルトレーニングシーケンス３１００〜３１１４のセット３１００を描写する図である。図３１において、ユーザ１は、２個のストリームを有し、ユーザ２は５個のストリームを有する。
【０１００】
本明細書に記述されるように、本開示のある態様は、１または複数のプリアンブルを複数の局に送信する方法を提供する。本明細書に開示されるように、プリアンブル内のシンボルのシーケンスは、非ビームフォーミング形式で送信される部分と、ビームフォーミングを使用して送信される別の部分とから構成される。
【０１０１】
ある態様に従って、プリアンブルの非ビームフォーミングされた部分は、ＨＴ信号フィールドの第２のシンボルまで、８０２．１１ｎ混合モードプリアンブルを備えうる。ある態様に従って、そのプリアンブルは、ステアされた（steered）ＭＵ−ＭＩＭＯデータが後に続きうる。ある態様に従って、プリアンブルのビームフォーミングされた部分は、局（ＳＴＡ）によってＡＧＣ設定に使用されるショートトレーニングフィールドである第１のシンボルを備えうる。ある態様に従って、そのプリアンブルのビームフォーミングされた部分は、時間的に第１のシンボルの後に続くトレーニングフィールドを備える第２のシンボルを備えうる。
【０１０２】
ある態様に従って、そのトレーニングフィールドは、トレーニングフィールドの後に続くシンボルの復調に必要なチャネルを推定するために使用されうる。ある態様に従って、そのトレーニングフィールドの後に続くシンボルは、信号フィールドを備える。ある態様に従って、その信号フィールドは、少なくとも２つのＳＴＡについて異なりうる。
【０１０３】
ある態様に従って、混合モード１１ｎプリアンブルのＨＴ部に存在する信号フィールドにおける送信の長さとＭＣＳは、プリアンブルの後に続く、ステアされたＭＵ−ＭＩＭＯ送信の最長の持続時間を伝達するために選択されうる。
【０１０４】
ある態様に従って、その信号フィールドは、特定の変調スキームを使用してモード検出を行うために使用されうる。ある態様に従って、モード検出は、それが、８０２．１１ｎ送信であるか、８０２．１１ａｃ送信であるかを決定することを備えうる。ある態様に従って、その特定の変調スキームは、データに関するパイロットを反転させることを備えうる。ある態様に従って、その特定の変調スキームは、回転ＢＰＳＫを備えうる。
【０１０５】
ある態様に従って、シンボルは、ＱＰＳＫを使用して変調された単一のシンボルを備えうる。
【０１０６】
上に記述されたステップのあらゆる特定の順序または階層が、プリアンブルユニットに含まれるプロセスの例を提供するために提示されていることは理解されるべきである。設計の選好に基づいて、ステップの特定の順序または階層が、本開示の範囲内に含まれたまま再配列されることは理解される。
【０１０７】
プリアンブルユニット、ＯＦＤＭ変調器、ＯＦＭＤ復調器は、１または複数の汎用プロセッサ、デジタル信号プロセッサ（ＤＳＰ）、特定用途向け集積回路（ＡＳＩＣ）、フィールドプログラマブルゲートアレイ（ＦＰＧＡ）、プログラマブル論理デバイス（ＰＬＤ）、別のプログラマブル論理コンポーネント、ディスクリートゲート、トランジスタ論理、ディスクリートハードウェアコンポーネント、あるいは、本明細書に記述された機能を実行するように設計されたそれらの任意の組み合わせで実施されうる。汎用プロセッサは、マイクロプロセッサ、コントローラ、マイクロコントローラ、またはステートマシン、あるいは、ソフトウェアを実行可能なあらゆる別の回路でありうる。ソフトウェアは、ソフトウェア、ファームウェア、ミドルウェア、マイクロコード、ハードウェア記述言語、あるいはその他の名称で呼ばれようと、命令群、データ、あるいは、それらの組み合わせ意味するために広く構成されるべきである。ソフトウェアは、機械可読媒体に記憶されるか、あるいは、ＤＳＰまたはＡＳＩＣのような１または複数のコンポーネントに組み込まれうる。機械可読媒体は、例として、ランダムアクセスメモリ（ＲＡＭ）、フラッシュメモリ、読取専用メモリ（ＲＯＭ）、プログラマブル読取専用メモリ（ＰＲＯＭ）、消去可能プログラマブル読取専用メモリ（ＥＰＲＯＭ）、電気的消去可能プログラマブル読取専用メモリ（ＥＥＰＲＯＭ）、レジスタ、磁気ディスク、光ディスク、ハードドライブ、または、あらゆる別の適切な記憶媒体、あるいは、それらの任意の組み合わせを含む様々なメモリコンポーネントを含みうる。機械可読媒体は、さらに、送信ライン、データによって変調される搬送波、および／または、ソフトウェアを無線ノードに提供するための別の手段を含みうる。機械可読は、コンピュータプログラムプロダクトに組み込まれうる。そのコンピュータプログラムプロダクトは、パッケージングマテリアルを備えうる。
【０１０８】
上述されたユニットが、ハードウェアで実施されるか、ソフトウェアで実施されるか、または、それらの組み合わせで実施されるかは、特定のアプリケーションと、システム全体に課せられた設計制約とに依存するであろう。当業者は、特定のアプリケーションの各々に対して様々な方法で記述された機能性を実施しうるが、そのような実施の決定が、本発明の範囲からの逸脱を引き起こすとして解釈されるべきではない。
【０１０９】
以上の記述は、当業者が、本発明の全範囲を十分に理解できるようにするために提供される。本明細書で開示される様々な構成への変更は、当業者には容易に明らかになるであろう。このように、特許請求の範囲は、本明細書に記述される発明の様々な態様を限定されることを目的としておらず、特許請求の範囲の言語と合致する全範囲が与えられるべきである。ここで、単数形のエレメントへの参照は、特にそのように示されていない限り、「１つまたは１つだけ」を意味せず、むしろ「１または複数」を意図する。具体的に別途記述されない限り、「いくつかの」という用語は、「１または複数の」を指す。当業者に知られている、または後に知られうる、本開示全体を通して記述された様々な態様のエレメントへの全ての構成的および機能的な均等物は、参照によって本明細書に明確に組み込まれ、特許請求の範囲によって包含されることを意図する。さらに、本明細書に開示されたものは、どれも、そのような開示が明示的に特許請求の範囲に記載されるか否かに関らず、公衆に献呈されることを意図しないエレメントが、「〜のための手段」という表現を使用して明確に記載されていない限り、または、方法請求項の場合、エレメントが、「〜のためのステップ」という表現を使用して記載されていない限り、どの請求項エレメントも米国特許法第１１２条６項の規定のもとで解釈されるべきではない。
【図１】
2014075805.tif 000004
【図２】
2014075805.tif 000005
【図３】
2014075805.tif 000006
【図４】
2014075805.tif 000007
【図５】
2014075805.tif 000008
【図６】
2014075805.tif 000009
【図７】
2014075805.tif 000010
【図８】
2014075805.tif 000011
【図９】
2014075805.tif 000012
【図１０】
2014075805.tif 000013
【図１１】
2014075805.tif 000014
【図１２】
2014075805.tif 000015
【図１３】
2014075805.tif 000016
【図１４】
2014075805.tif 000017
【図１５】
2014075805.tif 000018
【図１６】
2014075805.tif 000019
【図１７】
2014075805.tif 000020
【図１８】
2014075805.tif 000021
【図１９】
2014075805.tif 000022
【図２０】
2014075805.tif 000023
【図２１】
2014075805.tif 000024
【図２２】
2014075805.tif 000025
【図２３】
2014075805.tif 000026
【図２４】
2014075805.tif 000027
【図２５】
2014075805.tif 000028
【図２６】
2014075805.tif 000029
【図２７】
2014075805.tif 000030
【図２８】
2014075805.tif 000031
【図２８Ａ】
2014075805.tif 000032
【図２８Ｂ】
2014075805.tif 000033
【図２９】
2014075805.tif 000034
【図３０】
2014075805.tif 000035
【図３１】
2014075805.tif 000036
【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
各々が、複数のシンボルを備える複数の空間ストリームを生成し、
前記複数の空間ストリームのうちの第１の空間ストリームにおける第１のシンボルと、前記複数の空間ストリームのうちの第２の空間ストリームにおける第２のシンボルとにわたって、トレーニングシーケンスの少なくとも一部を分散する
ように構成された少なくとも１つのプロセッサと、
前記少なくとも１つのプロセッサに結合されたメモリと
を備える無線通信のための装置。
【手続補正書】
【提出日】平成26年2月17日(2014.2.17)
【手続補正１】
【補正対象書類名】特許請求の範囲
【補正対象項目名】全文
【補正方法】変更
【補正の内容】
【特許請求の範囲】
【請求項１】
シンボルのシーケンスを備えた、複数の局に送信されるべきプリアンブルを生成し
前記プリアンブルの第１の部分を、非ビームフォーミング形式で送信し、
前記プリアンブルの第２の部分を、ビームフォーミングを使用して送信する
ように構成された少なくとも１つのプロセッサと、
前記少なくとも１つのプロセッサに結合されたメモリと
を備える無線通信のための装置。
【請求項２】
前記プリアンブルの第１の部分は、高スループット（ＨＴ）信号フィールドの第２のシンボルまで混合モードプリアンブルを備える、請求項１に記載の装置。
【請求項３】
前記プロセッサは、ステアされたマルチユーザ多重入力多重出力（ＭＵ−ＭＩＭＯ）データを前記プリアンブルの後に送信するようにさらに構成される、請求項１に記載の装置。
【請求項４】
前記プリアンブルの第２の部分は、前記複数の局のうちの少なくとも１つによって自動利得制御（ＡＧＣ）設定に使用されるショートトレーニングフィールドを備える、請求項１に記載の装置。
【請求項５】
前記プリアンブルの第２の部分は、時間的に前記第１のシンボルの後に続くトレーニングフィールドを備える第２のシンボルから構成される、請求項１に記載の装置。
【請求項６】
前記トレーニングフィールドは、前記トレーニングフィールドの後に続くシンボルを復調するために必要な前記チャネルを推定するために使用される、請求項５に記載の装置。
【請求項７】
前記トレーニングフィールドの後に続くシンボルは、信号フィールドを備える、請求項５に記載の装置。
【請求項８】
前記信号フィールドは、複数の局（ＳＴＡ）のうちの少なくとも２つについて異なる、請求項７に記載の装置。
【請求項９】
混合モードプリアンブルの高スループット（ＨＴ）部分に存在する前記信号フィールドにおける送信の長さおよびＭＣＳは、前記プリアンブルの後に続く、前記ステアされたＭＵ−ＭＩＭＯ送信の最長の持続時間を伝達するように選択される、請求項３に記載の装置。
【請求項１０】
前記信号フィールドは、特定の変調スキームを使用してモード検出に使用される、請求項７に記載の装置。
【請求項１１】
モード検出は、送信が、ＩＥＥＥ ８０２．１１に従うものか、ＩＥＥＥ ８０２．１１ａｃに従うものかを決定することを備える、請求項１０に記載の装置。
【請求項１２】
前記特定の変調スキームは、前記データに関するパイロットを反転させることを含む、請求項１０に記載の装置。
【請求項１３】
前記特定の変調スキームは、回転ＢＰＳＫ変調シンボルを含む、請求項１０に記載の装置。
【請求項１４】
前記シンボルは、ＱＰＳＫを使用して変調される単一のシンボルを備える、請求項５に記載の装置。
【請求項１５】
シンボルのシーケンスを備えた、複数の局に送信されるべきプリアンブルを生成することと、
前記プリアンブルの第１の部分を、非ビームフォーミング形式で送信することと、
前記プリアンブルの第２の部分を、ビームフォーミングを使用して送信することと
を備える、無線通信のための方法装置。
【請求項１６】
前記プリアンブルの第１の部分は、高スループット（ＨＴ）信号フィールドの第２のシンボルまで混合モードプリアンブルを備える、請求項１５に記載の方法。
【請求項１７】
ステアされたマルチユーザ多重入力多重出力（ＭＵ−ＭＩＭＯ）データを前記プリアンブルの後に送信することをさらに備える、請求項１５に記載の方法。
【請求項１８】
前記プリアンブルの第２の部分は、前記複数の局のうちの少なくとも１つによって自動利得制御（ＡＧＣ）設定に使用されるショートトレーニングフィールドを備える、請求項１５に記載の方法。
【請求項１９】
前記プリアンブルの第２の部分は、時間的に前記第１のシンボルの後に続くトレーニングフィールドを備える第２のシンボルから構成される、請求項１５に記載の方法。
【請求項２０】
前記トレーニングフィールドは、前記トレーニングフィールドの後に続くシンボルを復調するために必要な前記チャネルを推定するために使用される、請求項１９に記載の方法。
【請求項２１】
前記トレーニングフィールドの後に続くシンボルは、信号フィールドを備える、請求項１９に記載の方法。
【請求項２２】
前記信号フィールドは、複数の局（ＳＴＡ）のうちの少なくとも２つについて異なる、請求項２１に記載の方法。
【請求項２３】
混合モードプリアンブルの高スループット（ＨＴ）部分に存在する信号フィールドにおける送信の長さおよびＭＣＳは、前記プリアンブルの後に続く、前記ステアされたＭＵ−ＭＩＭＯ送信の最長の持続時間を伝達するように選択される、請求項１７に記載の方法。
【請求項２４】
前記信号フィールドは、特定の変調スキームを使用してモード検出に使用される、請求項２１に記載の装置。
【請求項２５】
モード検出は、送信が、ＩＥＥＥ ８０２．１１に従うものか、ＩＥＥＥ ８０２．１１ａｃに従うものかを決定することを備える、請求項２４に記載の方法。
【請求項２６】
前記特定の変調スキームは、前記データに関するパイロットを反転させることを含む、請求項２４に記載の方法。
【請求項２７】
前記特定の変調スキームは、回転ＢＰＳＫ変調シンボルを含む、請求項２４に記載の方法。
【請求項２８】
前記シンボルは、ＱＰＳＫを使用して変調される単一のシンボルを備える、請求項１９に記載の方法。
【請求項２９】
シンボルのシーケンスを備えた、複数の局に送信されるべきプリアンブルを生成するための手段と、
前記プリアンブルの第１の部分を、非ビームフォーミング形式で送信するための手段と、
前記プリアンブルの第２の部分を、ビームフォーミングを使用して送信するための手段と、
を備える、通信のための装置。
【請求項３０】
機械可読媒体を備える、無線通信のためのコンピュータプログラムプロダクトであって、前記機械可読媒体は、
シンボルのシーケンスを備えた、複数の局に送信されるべきプリアンブルを生成し、
前記プリアンブルの第１の部分を、非ビームフォーミング形式で送信し、
前記プリアンブルの第２の部分を、ビームフォーミングを使用して送信する
ために実行可能な命令群で符号化される、コンピュータプログラムプロダクト。
【請求項３１】
ピアノードのために、ネットワークへのバックホール接続をサポートするように構成された無線ネットワークアダプタと、
シンボルのシーケンスを備えた、複数の局に送信されるべきプリアンブルを生成し、前記プリアンブルの第１の部分を、非ビームフォーミング形式で送信し、前記プリアンブルの第２の部分を、ビームフォーミングを使用して送信するように構成された処理システムと
を備えるアクセスポイント。
【請求項３２】
シンボルのシーケンスを備えた、複数のアクセス端末に送信されるプリアンブルを受信するように構成された処理システムと、ここにおいて、前記プリアンブルの第１の部分は、非ビームフォーミング形式で送信され、前記プリアンブルの第２の部分は、ビームフォーミングを使用して送信され、
前記処理システムによってサポートされるユーザインターフェースと
を備えるアクセス端末。
【手続補正２】
【補正対象書類名】明細書
【補正対象項目名】０１０９
【補正方法】変更
【補正の内容】
【０１０９】
以上の記述は、当業者が、本発明の全範囲を十分に理解できるようにするために提供される。本明細書で開示される様々な構成への変更は、当業者には容易に明らかになるであろう。このように、特許請求の範囲は、本明細書に記述される発明の様々な態様を限定されることを目的としておらず、特許請求の範囲の言語と合致する全範囲が与えられるべきである。ここで、単数形のエレメントへの参照は、特にそのように示されていない限り、「１つまたは１つだけ」を意味せず、むしろ「１または複数」を意図する。具体的に別途記述されない限り、「いくつかの」という用語は、「１または複数の」を指す。当業者に知られている、または後に知られうる、本開示全体を通して記述された様々な態様のエレメントへの全ての構成的および機能的な均等物は、参照によって本明細書に明確に組み込まれ、特許請求の範囲によって包含されることを意図する。さらに、本明細書に開示されたものは、どれも、そのような開示が明示的に特許請求の範囲に記載されるか否かに関らず、公衆に献呈されることを意図しないエレメントが、「〜のための手段」という表現を使用して明確に記載されていない限り、または、方法請求項の場合、エレメントが、「〜のためのステップ」という表現を使用して記載されていない限り、どの請求項エレメントも米国特許法第１１２条６項の規定のもとで解釈されるべきではない。
以下に、出願当初の特許請求の範囲に記載された発明を付記する。
［Ｃ１］
各々が、複数のシンボルを備える複数の空間ストリームを生成し、
前記複数の空間ストリームのうちの第１の空間ストリームにおける第１のシンボルと、前記複数の空間ストリームのうちの第２の空間ストリームにおける第２のシンボルとにわたって、トレーニングシーケンスの少なくとも一部を分散する
ように構成された少なくとも１つのプロセッサと、
前記少なくとも１つのプロセッサに結合されたメモリと
を備える無線通信のための装置。
［Ｃ２］
前記少なくとも１つのプロセッサは、さらに、前記トレーニングシーケンスのさらなる部分を、前記複数の空間ストリームのうちの第３の空間ストリームにおける第３のシンボルに分散するように構成される、Ｃ１に記載の装置。
［Ｃ３］
前記第１および第２のシンボルの各々は、複数のサブキャリアを備え、前記処理システムは、さらに、前記トレーニングシーケンスの少なくとも一部を、前記第１および第２のシンボルにおける異なるサブキャリアにわたって分散するように構成される、Ｃ１に記載の装置。
［Ｃ４］
前記少なくとも１つのプロセッサは、さらに、前記第１のシンボルにおけるトレーニングシーケンスの一部を巡回的に遅延させるように構成される、Ｃ１に記載の装置。
［Ｃ５］
前記複数のシンボルのうちの第１のシンボルは、信号を搬送する複数のサブキャリアを含み、前記処理システムは、さらに、前記サブキャリアによって搬送される信号を、前記第１のシンボルにおけるトレーニングシーケンスの一部と乗じるように構成される、Ｃ１に記載の装置。
［Ｃ６］
前記第１のシンボルは、複数の帯域内および帯域外サブキャリアを含み、前記処理システムは、さらに、前記第１のシンボルにおけるトレーニングシーケンスの一部を、前記帯域内サブキャリアにわたって分散するように構成される、Ｃ１に記載の装置。
［Ｃ７］
前記少なくとも１つのプロセッサは、さらに、前記帯域外サブキャリアを減衰させるように構成される、Ｃ６に記載の装置。
［Ｃ８］
前記少なくとも１つのプロセッサは、さらに、前記トレーニングシーケンスのさらなる部分を、時間的に前記第１のシンボルの後に続く、前記複数の空間ストリームのうちの第１の空間ストリームにおける別のシンボルに分散するように構成される、Ｃ１に記載の装置。
［Ｃ９］
前記少なくとも１つのプロセッサは、さらに、前記トレーニングシーケンスの全てのトーンが前記複数の空間ストリームのうちの第１の空間ストリームに含まれるように、前記トレーニングシーケンスの残りの部分を、時間的に前記第１のシンボルに続く、前記複数の空間ストリームのうちの第１の空間ストリームにおける１または複数のシンボルに分散するように構成される、Ｃ１に記載の装置。
［Ｃ１０］
前記トレーニングシーケンスは、前記複数の空間ストリームのうちの第１の空間ストリームにおける８個のシンボルにわたって分散される、Ｃ９に記載の装置。
［Ｃ１１］
前記トレーニングシーケンスは、ウォルシュ符号化トレーニングシーケンスを備える、Ｃ９に記載の装置。
［Ｃ１２］
前記少なくとも１つのプロセッサは、さらに、前記第１のシンボルにおけるトレーニングシーケンスの一部を、時間的に前記第１のシンボルの後に続く、前記複数の空間ストリームのうちの第３の空間ストリームにおける別のシンボルに分散するように構成される、Ｃ１に記載の装置。
［Ｃ１３］
前記少なくとも１つのプロセッサは、さらに、前記複数のシンボルのうちの少なくとも１つのシンボルを、スプーフ変調スキームを用いて変調するように構成される、Ｃ１に記載の装置。
［Ｃ１４］
前記少なくとも１つのプロセッサは、さらに、
第１の変調スキームを用いて、前記複数の空間ストリームのうちの第１の空間ストリームにおける前記複数のシンボルのうちの１つのシンボルを変調し、
前記第１の変調スキームとは異なる第２の変調スキームを用いて、前記複数の空間ストリームのうちの第１の空間ストリームにおける前記複数のシンボルのうちの別のシンボルを変調する
ように構成される、Ｃ１に記載の装置。
［Ｃ１５］
前記複数の空間ストリームの各々は、データの長さと変調スキームとを示す情報を備える少なくとも１つのシンボルを備え、前記情報は、前記複数の空間ストリームのうちの少なくとも２つについて異なる、Ｃ１に記載の装置。
［Ｃ１６］
前記少なくとも１つのプロセッサは、さらに、
前記トレーニングシーケンスのさらなる部分を、時間的に前記第１のシンボルの後に続く、前記複数の空間ストリームのうちの第１の空間ストリームにおける第３のシンボルに分散し、
前記第１のシンボルにおけるトレーニングシーケンスの一部を、時間的に前記第３のシンボルの後に続く、前記複数の空間ストリームのうちの第１の空間ストリームにおける第４のシンボルに分散する
ように構成される、Ｃ１に記載の装置。
［Ｃ１７］
各々が、複数のシンボルを備える複数の空間ストリームを生成することと、
前記複数の空間ストリームのうちの第１の空間ストリームにおける第１のシンボルと、前記複数の空間ストリームのうちの第２の空間ストリームにおける第２のシンボルとにわたって、トレーニングシーケンスの少なくとも一部を分散することと
を備える通信のための方法。
［Ｃ１８］
前記トレーニングシーケンスのさらなる部分を、前記複数の空間ストリームのうちの第３の空間ストリームにおける第３のシンボルに分散することをさらに備える、Ｃ１７に記載の方法。
［Ｃ１９］
前記第１および第２のシンボルの各々は、複数のサブキャリアを備え、前記トレーニングシーケンスの少なくとも一部は、前記第１および第２のシンボルにおける異なるサブキャリアにわたって分散される、Ｃ１７に記載の方法。
［Ｃ２０］
前記第１のシンボルにおけるトレーニングシーケンスの一部を巡回的に遅延させることをさらに備える、Ｃ１７に記載の方法。
［Ｃ２１］
前記複数のシンボルのうちの第１のシンボルは、信号を搬送する複数のサブキャリアを含み、前記方法はさらに、前記サブキャリアによって搬送される信号を、前記第１のシンボルにおけるトレーニングシーケンスの一部と乗じることを備える、Ｃ１７に記載の方法。
［Ｃ２２］
前記第１のシンボルは、複数の帯域内および帯域外サブキャリアを含み、前記第１のシンボルにおけるトレーニングシーケンスの一部は、前記帯域内サブキャリアにわたって分散される、Ｃ１７に記載の方法。
［Ｃ２３］
前記帯域外サブキャリアを減衰させることをさらに備える、Ｃ２２に記載の方法。
［Ｃ２４］
前記トレーニングシーケンスのさらなる部分を、時間的に前記第１のシンボルの後に続く、前記複数の空間ストリームのうちの第１の空間ストリームにおける別のシンボルに分散することをさらに備える、Ｃ１７に記載の方法。
［Ｃ２５］
前記トレーニングシーケンスの全てのトーンが前記複数の空間ストリームのうちの第１の空間ストリームに含まれるように、前記トレーニングシーケンスの残りの部分を、時間的に前記第１のシンボルに続く、前記複数の空間ストリームのうちの第１の空間ストリームにおける１または複数のシンボルへと分散することをさらに備える、Ｃ１７に記載の方法。
［Ｃ２６］
前記トレーニングシーケンスは、前記複数の空間ストリームのうちの第１の空間ストリームにおける８個のシンボルにわたって分散される、Ｃ２５に記載の方法。
［Ｃ２７］
前記トレーニングシーケンスは、ウォルシュ符号化トレーニングシーケンスを備える、Ｃ２５に記載の方法。
［Ｃ２８］
前記第１のシンボルにおけるトレーニングシーケンスの一部を、時間的に前記第１のシンボルの後に続く、前記複数の空間ストリームのうちの第３の空間ストリームにおける別のシンボルに分散することをさらに備える、Ｃ１７に記載の方法。
［Ｃ２９］
前記複数のシンボルのうちの少なくとも１つのシンボルを、スプーフ変調スキームを用いて変調することをさらに備える、Ｃ１７に記載の方法。
［Ｃ３０］
第１の変調スキームを用いて、前記複数の空間ストリームのうちの第１の空間ストリームにおける前記複数のシンボルのうちの１つのシンボルを変調することと、前記第１の変調スキームとは異なる第２の変調スキームを用いて、前記複数の空間ストリームのうちの第１の空間ストリームにおける前記複数のシンボルのうちの別のシンボルを変調することをさらに備える、Ｃ１７に記載の方法。
［Ｃ３１］
前記複数の空間ストリームの各々は、データの長さと変調スキームとを示す情報を備える少なくとも１つのシンボルを備え、前記情報は、前記複数の空間ストリームのうちの少なくとも２つについて異なる、Ｃ１７に記載の方法。
［Ｃ３２］
前記トレーニングシーケンスのさらなる部分を、時間的に前記第１のシンボルの後に続く、前記複数の空間ストリームのうちの第１の空間ストリームにおける第３のシンボルに分散することと、前記第１のシンボルにおけるトレーニングシーケンスの一部を、時間的に前記第３のシンボルの後に続く、前記複数の空間ストリームのうちの第１の空間ストリームにおける第４のシンボルに分散することをさらに備える、Ｃ１７に記載の方法。
［Ｃ３３］
各々が、複数のシンボルを備える複数の空間ストリームを生成するための手段と、
前記複数の空間ストリームのうちの第１の空間ストリームにおける第１のシンボルと、前記複数の空間ストリームのうちの第２の空間ストリームにおける第２のシンボルとにわたって、トレーニングシーケンスの少なくとも一部を分散するための手段と
を備える通信のための装置。
［Ｃ３４］
機械可読媒体を備える、無線通信のためのコンピュータプログラムプロダクトであって、前記機械可読媒体は、
各々が、複数のシンボルを備える複数の空間ストリームを生成し、
前記複数の空間ストリームのうちの第１の空間ストリームにおける第１のシンボルと、前記複数の空間ストリームのうちの第２の空間ストリームにおける第２のシンボルとにわたって、トレーニングシーケンスの少なくとも一部を分散する
ために実行可能な命令群で符号化される、コンピュータプログラムプロダクト。
［Ｃ３５］
ピアノードのために、ネットワークへのバックホール接続をサポートするように構成された無線ネットワークアダプタと、
各々が複数のシンボルを備える複数の空間ストリームを生成するように構成された処理システムであって、前記処理システムは、前記複数の空間ストリームのうちの第１の空間ストリームにおける第１のシンボルと、前記複数の空間ストリームのうちの第２の空間ストリームにおける第２のシンボルとにわたって、トレーニングシーケンスの少なくとも一部を分散するようにさらに構成された処理システムと
を備えるアクセスポイント。
［Ｃ３６］
各々が複数のシンボルを備える複数の空間ストリームを受信するように構成された処理システムと、ここで、トレーニングシーケンスの少なくとも一部は、前記複数の空間ストリームのうちの第１の空間ストリームにおける第１のシンボルと、前記複数の空間ストリームのうちの第２の空間ストリームにおける第２のシンボルとにわたって分散され、
前記処理システムによってサポートされるユーザインターフェースと
を備えるアクセス端末。
［Ｃ３７］
シンボルのシーケンスを備えた、複数の局に送信されるべきプリアンブルを生成し
前記プリアンブルの第１の部分を、非ビームフォーミング形式で送信し、
前記プリアンブルの第２の部分を、ビームフォーミングを使用して送信する
ように構成された少なくとも１つのプロセッサと、
前記少なくとも１つのプロセッサに結合されたメモリと
を備える無線通信のための装置。
［Ｃ３８］
前記プリアンブルの第１の部分は、高スループット（ＨＴ）信号フィールドの第２のシンボルまで混合モードプリアンブルを備える、Ｃ３７に記載の装置。
［Ｃ３９］
前記プロセッサは、ステアされたマルチユーザ多重入力多重出力（ＭＵ−ＭＩＭＯ）データを前記プリアンブルの後に送信するようにさらに構成される、Ｃ３７に記載の装置。
［Ｃ４０］
前記プリアンブルの第２の部分は、前記複数の局のうちの少なくとも１つによって自動利得制御（ＡＧＣ）設定に使用されるショートトレーニングフィールドを備える、Ｃ３７に記載の装置。
［Ｃ４１］
前記プリアンブルの第２の部分は、時間的に前記第１のシンボルの後に続くトレーニングフィールドを備える第２のシンボルから構成される、Ｃ３７に記載の装置。
［Ｃ４２］
前記トレーニングフィールドは、前記トレーニングフィールドの後に続くシンボルを復調するために必要な前記チャネルを推定するために使用される、Ｃ４１に記載の装置。
［Ｃ４３］
前記トレーニングフィールドの後に続くシンボルは、信号フィールドを備える、Ｃ４１に記載の装置。
［Ｃ４４］
前記信号フィールドは、複数の局（ＳＴＡ）のうちの少なくとも２つについて異なる、Ｃ４３に記載の装置。
［Ｃ４５］
混合モードプリアンブルの高スループット（ＨＴ）部分に存在する前記信号フィールドにおける送信の長さおよびＭＣＳは、前記プリアンブルの後に続く、前記ステアされたＭＵ−ＭＩＭＯ送信の最長の持続時間を伝達するように選択される、Ｃ３９に記載の装置。
［Ｃ４６］
前記信号フィールドは、特定の変調スキームを使用してモード検出に使用される、Ｃ４３に記載の装置。
［Ｃ４７］
モード検出は、送信が、ＩＥＥＥ ８０２．１１に従うものか、ＩＥＥＥ ８０２．１１ａｃに従うものかを決定することを備える、Ｃ４６に記載の装置。
［Ｃ４８］
前記特定の変調スキームは、前記データに関するパイロットを反転させることを含む、Ｃ４６に記載の装置。
［Ｃ４９］
前記特定の変調スキームは、回転ＢＰＳＫ変調シンボルを含む、Ｃ４６に記載の装置。
［Ｃ５０］
前記シンボルは、ＱＰＳＫを使用して変調される単一のシンボルを備える、Ｃ４１に記載の装置。
［Ｃ５１］
シンボルのシーケンスを備えた、複数の局に送信されるべきプリアンブルを生成することと、
前記プリアンブルの第１の部分を、非ビームフォーミング形式で送信することと、
前記プリアンブルの第２の部分を、ビームフォーミングを使用して送信することと
を備える、無線通信のための方法装置。
［Ｃ５２］
前記プリアンブルの第１の部分は、高スループット（ＨＴ）信号フィールドの第２のシンボルまで混合モードプリアンブルを備える、Ｃ５１に記載の方法。
［Ｃ５３］
ステアされたマルチユーザ多重入力多重出力（ＭＵ−ＭＩＭＯ）データを前記プリアンブルの後に送信することをさらに備える、Ｃ５１に記載の方法。
［Ｃ５４］
前記プリアンブルの第２の部分は、前記複数の局のうちの少なくとも１つによって自動利得制御（ＡＧＣ）設定に使用されるショートトレーニングフィールドを備える、Ｃ５１に記載の方法。
［Ｃ５５］
前記プリアンブルの第２の部分は、時間的に前記第１のシンボルの後に続くトレーニングフィールドを備える第２のシンボルから構成される、Ｃ５１に記載の方法。
［Ｃ５６］
前記トレーニングフィールドは、前記トレーニングフィールドの後に続くシンボルを復調するために必要な前記チャネルを推定するために使用される、Ｃ５５に記載の方法。
［Ｃ５７］
前記トレーニングフィールドの後に続くシンボルは、信号フィールドを備える、Ｃ５５に記載の方法。
［Ｃ５８］
前記信号フィールドは、複数の局（ＳＴＡ）のうちの少なくとも２つについて異なる、Ｃ５７に記載の方法。
［Ｃ５９］
混合モードプリアンブルの高スループット（ＨＴ）部分に存在する信号フィールドにおける送信の長さおよびＭＣＳは、前記プリアンブルの後に続く、前記ステアされたＭＵ−ＭＩＭＯ送信の最長の持続時間を伝達するように選択される、Ｃ５３に記載の方法。
［Ｃ６０］
前記信号フィールドは、特定の変調スキームを使用してモード検出に使用される、Ｃ５７に記載の装置。
［Ｃ６１］
モード検出は、送信が、ＩＥＥＥ ８０２．１１に従うものか、ＩＥＥＥ ８０２．１１ａｃに従うものかを決定することを備える、Ｃ６０に記載の方法。
［Ｃ６２］
前記特定の変調スキームは、前記データに関するパイロットを反転させることを含む、Ｃ６０に記載の方法。
［Ｃ６３］
前記特定の変調スキームは、回転ＢＰＳＫ変調シンボルを含む、Ｃ６０に記載の方法。
［Ｃ６４］
前記シンボルは、ＱＰＳＫを使用して変調される単一のシンボルを備える、Ｃ５５に記載の方法。
［Ｃ６５］
シンボルのシーケンスを備えた、複数の局に送信されるべきプリアンブルを生成するための手段と、
前記プリアンブルの第１の部分を、非ビームフォーミング形式で送信するための手段と、
前記プリアンブルの第２の部分を、ビームフォーミングを使用して送信するための手段と、
を備える、通信のための装置。
［Ｃ６６］
機械可読媒体を備える、無線通信のためのコンピュータプログラムプロダクトであって、前記機械可読媒体は、
シンボルのシーケンスを備えた、複数の局に送信されるべきプリアンブルを生成し、
前記プリアンブルの第１の部分を、非ビームフォーミング形式で送信し、
前記プリアンブルの第２の部分を、ビームフォーミングを使用して送信する
ために実行可能な命令群で符号化される、コンピュータプログラムプロダクト。
［Ｃ６７］
ピアノードのために、ネットワークへのバックホール接続をサポートするように構成された無線ネットワークアダプタと、
シンボルのシーケンスを備えた、複数の局に送信されるべきプリアンブルを生成し、前記プリアンブルの第１の部分を、非ビームフォーミング形式で送信し、前記プリアンブルの第２の部分を、ビームフォーミングを使用して送信するように構成された処理システムと
を備えるアクセスポイント。
［Ｃ６８］
シンボルのシーケンスを備えた、複数のアクセス端末に送信されるプリアンブルを受信するように構成された処理システムと、ここにおいて、前記プリアンブルの第１の部分は、非ビームフォーミング形式で送信され、前記プリアンブルの第２の部分は、ビームフォーミングを使用して送信され、
前記処理システムによってサポートされるユーザインターフェースと
を備えるアクセス端末。
【外国語明細書】
2014075805000001.pdf